(57)【要約】      （修正有）【課題】ＧＰＲＳシステムとＣＤＭＡ２０００パケットデータシステムとの間におけるローミングを可能にする方法および装置を提供する。【解決手段】モバイルＩＰｖ４を用いたＧＰＲＳフォーリンモード、シンプルＩＰｖ４又はＩＰｖ６を用いたＧＰＲＳフォーリンモード、モバイルＩＰｖ４を用いたＣＤＭＡ２０００パケットデータフォーリンモード、及びシンプルＩＰｖ４又はＩＰｖ６を用いたＣＤＭＡ２０００パケットデータフォーリンモード、等のＣＤＭＡ２０００／ＧＰＲＳローミングシナリオに関するインターワーキング・相互運用機能ＩＩＦアーキテクチャ及び対応する呼フローが提供される。【選択図】図４Ａ
2010233229.tif 000002
【特許請求の範囲】
【請求項１】
モバイルＩＰｖ４を使用するＣＤＭＡ２０００パケットデータネイティブ加入者が、ホームＣＤＭＡ２０００パケットデータシステムからＳＧＳＮを具備する移動先ＧＰＲＳシステムにローミングする方法であって、
前記ホームシステムと前記移動先システムとの間における通信を可能にするために前記ホームシステムを前記移動先システムに結合させることを具備し、前記ホームＣＤＭＡ２０００パケットデータシステムは、ＡＮＳＩ−４１ホームロケーションレジスタと、ＡＡＡエンティティと、ホームエージェントと、を具備する、方法。
【請求項２】
前記ホームＣＤＭＡ２０００パケットデータシステムは、ＡＮＳＩ−４１ホームロケーションレジスタと、ＡＡＡエンティティと、ホームエージェントと、を具備し、ユーザーが第１のインタフェースを通じて登録するのを可能にすることと、前記ユーザーが第２のインタフェースを通じて登録するのを可能にすること、とをさらに具備する、請求項１に記載の方法。
【請求項３】
フォーリンエージェントインタフェース及びＡＡＡインタフェースが第３のインタフェースを通じて前記ＣＤＭＡ２０００パケットデータシステムに提示されるようにするために前記移動先システムと前記ホームシステムとの間におけるベアラ接続性をサポートすることと、ＧＧＳＮインタフェースが第４のインタフェースを通じて前記移動先システムに提示されるようにするために前記移動先システムと前記ホームシステムとの間においてベアラ接続性をサポートすること、とをさらに具備する、請求項１記載の方法。
【請求項４】
ＧＴＰトンネル及びモバイルＩＰトンネルに関するエンドポイントを提供することをさらに具備する、請求項３に記載の方法。
【請求項５】
前記ＧＧＳＮインタフェースとフォーリンエージェントインタフェースとの間においてパケットルーティング機能を提供することをさらに具備する、請求項４に記載の方法。
【請求項６】
モバイルＩＰフォーリンエージェントチャレンジ認証及び３ＧＰＰ２パケットデータアカウンティングに関してホームネットワークのＡＡＡと対話することによってアカウンティング機能を提供することをさらに具備する、請求項１に記載の方法。
【請求項７】
シンプルＩＰを使用するＣＤＭＡ２０００パケットデータネイティブ加入者が、ホームＣＤＭＡ２０００パケットデータシステムからＳＧＳＮを具備する移動先ＧＰＲＳシステムにローミングする方法であって、
前記ホームシステムと前記移動先システムとの間における通信を可能にするために前記ホームシステムを前記移動先システムに結合させることを具備し、前記ホームＣＤＭＡ２０００パケットデータシステムは、ＡＮＳＩ−４１ホームロケーションレジスタと、ＡＡＡエンティティと、ＬＮＳを具備する、方法。
【請求項８】
加入者が第１のインタフェースを通じて登録するのを可能にすることと、前記加入者が第２のインタフェースを通じて登録するのを可能にすること、とをさらに具備する、請求項７に記載の方法。  
【請求項９】
第３のインタフェースを介して前記移動先ネットワークと前記ホームネットワークとの間におけるベアラ接続性をサポートすることと、ＧＧＳＮインタフェースを前記移動先システムに提示し更に通常のルーティングインタフェースを前記ＣＤＭＡ２０００パケットデータシステムに提示しそれによって前記ＧＧＳＮインタフェースと前記ホームシステムとの間においてパケットルーティング機能を提供することによって第４のインタフェースを通じて前記移動先ネットワークと前記ホームネットワークとの間におけるベアラ接続性をサポートすること、とをさらに具備する、請求項８に記載の方法。
【請求項１０】
ＧＴＰトンネル及びモバイルＩＰＳｅｃトンネルに関するエンドポイントを提供することをさらに具備する、請求項９に記載の方法。
【請求項１１】
第５のインタフェースを通じてＬ２ＴＰ認証及び３ＧＰＰ２パケットデータアカウンティングに関して前記ホームネットワークのＡＡＡと対話することによってアカウンティング機能を提供することをさらに具備する、請求項１０に記載の方法。
【請求項１２】
モバイルＩＰｖ４を使用するＧＰＲＳネイティブ加入者が、ホームＧＰＲＳシステムから、ＡＮＳＩ−４１移動先ロケーションレジスタと、ＡＡＡエンティティと、パケットデータ提供ノード／フォーリンエージェントと、を具備する移動先ＣＤＭＡ２０００パケットデータシステムにローミングする方法であって、
前記ホームシステムと前記移動先システムとの間における通信を可能にするために前記ホームシステムを前記移動先システムに結合させることを具備し、前記ホームＧＰＲＳシステムは、ＧＳＭホームロケーションレジスタと、ＧＧＳＮと、ＡＡＡエンティティと、を具備する、方法。
【請求項１３】
ＳＧＳＮインタフェースとホームエージェントインタフェースとの間においてパケットルーティング機能を提供することによって前記移動先ネットワークと前記ホームネットワークとの間におけるベアラ接続性をサポートするために、前記ホームエージェントインタフェースを前記移動先システムに提示することと、前記ＳＧＳＮインタフェースを前記ホームシステムに提示すること、とをさらに具備する、請求項１２に記載の方法。
【請求項１４】
ＧＴＰトンネル及びモバイルＩＰトンネルに関するエンドポイントを提供することをさらに具備する、請求項１３に記載の方法。
【請求項１５】
加入者が登録するのを可能にすることをさらに具備する、請求項１３に記載の方法。
【請求項１６】
第５のインタフェースを通じてモバイルＩＰ認証及び３ＧＰＰ２パケットデータアカウンティングに関して前記移動先ネットワークのＡＡＡと対話することと、第４のインタフェースを通じて３ＧＰＰパケットデータアカウンティングに関して前記ホームネットワークのＡＡＡと対話すること、とをさらに具備する請求項１５に記載の方法。
【請求項１７】
シンプルＩＰを使用するＧＰＲＳネイティブ加入者が、ホームＧＰＲＳシステムから、ＡＮＳＩ−４１移動先ロケーションレジスタと、ＡＡＡエンティティと、ＰＤＳＮ／ＬＡＣエンティティと、を具備する移動先ＣＤＭＡ２０００パケットデータシステムにローミングする方法であって、
前記ホームシステムと前記移動先システムとの間における通信を可能にするために前記ホームシステムを前記移動先システムに結合させることを具備し、前記ホームＧＰＲＳシステムは、ＧＳＭホームロケーションレジスタと、ＧＧＳＮと、ＡＡＡエンティティと、を具備する、方法。
【請求項１８】
パケットルーティング機能を提供することによって前記移動先ネットワークと前記ホームネットワークとの間におけるベアラ接続性をサポートすること、をさらに具備する、請求項１７に記載の方法。
【請求項１９】
ＳＧＳＮインタフェースを前記ホームシステムに提示することと、Ｌ２ＴＰネットワークサーバー（ＬＮＳ）インタフェースを前記移動先システムに提示することと、ＳＧＳＮエミュレーションモジュールとＬＮＳエミュレーションモジュールとの間において前記パケットルーティング機能を提供すること、とをさらに具備する、請求項１８に記載の方法。
【請求項２０】
ＧＴＰトンネル及びモバイルＬ２ＴＰトンネルに関するエンドポイントを提供することをさらに具備する、請求項１９に記載の方法。
【請求項２１】
加入者が登録するのを可能にすることをさらに具備する、請求項２０に記載の方法。
【請求項２２】
Ｌ２ＴＰ認証及び３ＧＰＰ２パケットデータアカウンティングに関して第５のインタフェースを通じて前記移動先ネットワークのＡＡＡエンティティと対話することと、３ＧＰＰパケットデータアカウンティングに関して第６のインタフェースを通じて前記ホームネットワークのＡＡＡエンティティと対話すること、とをさらに具備する、請求項２１に記載の方法。
【請求項２３】
モバイルＩＰｖ４を使用するＣＤＭＡ２０００パケットデータネイティブ加入者が移動先ＧＰＲＳシステムにローミング時に、ホームＣＤＭＡ２０００パケットデータシステムと移動先ＧＰＲＳシステムとの間における通信を可能にする方法であって、
ＧＳＭホームロケーションレジスタエミュレーションモジュールを前記ＳＧＳＮに結合させる第１のインタフェースを通じて加入者が登録するのを可能にすることと、
ＡＮＳＩ−４１移動先ロケーションレジスタエミュレーションモジュールをＡＮＳＩ−４１ホームロケーションレジスタに結合させる第２のインタフェースを通じて前記加入者が登録するのを可能にすること、とを具備する方法。
【請求項２４】
前記ホームＣＤＭＡ２０００パケットデータインタフェースエンティティは、ＡＮＳＩ−４１ホームロケーションレジスタと、ＡＡＡエンティティと、ホームエージェントと、を具備する、請求項２３に記載の方法。
【請求項２５】
第３のインタフェースを通じて前記ホームエージェントをフォーリンエージェントエミュレーションモジュールに結合させることと、第４のインタフェースを通じてＧＧＳＮエミュレーションモジュールを前記ＳＧＳＮに結合させること、とを具備し、前記フォーリンエージェントエミュレーションモジュールは、フォーリンエージェントインタフェース及びＡＡＡインタフェースが前記第３のインタフェースを通じて前記ＣＤＭＡ２０００パケットデータインタフェースエンティティに提示されるようにするために前記移動先インタフェースエンティティと前記ホームインタフェースエンティティとの間におけるベアラ接続性をサポートし、前記ＧＧＳＮエミュレーションモジュールは、ＧＧＳＮインタフェースが前記第４のインタフェースを通じて前記移動先インタフェースエンティティに提示されるようにするために前記移動先インタフェースエンティティと前記ホームインタフェースエンティティとの間におけるベアラ接続性をサポートする、請求項２３に記載の方法。
【請求項２６】
ＧＴＰトンネル及びモバイルＩＰトンネルに関するエンドポイントを提供することをさらに具備する、請求項２５に記載の方法。
【請求項２７】
前記ＧＧＳＮインタフェースと前記フォーリンエージェントインタフェースとの間においてパケットルーティング機能を提供することをさらに具備する、請求項２６に記載の方法。
【請求項２８】
第５のインタフェースを通じてＡＡＡエミュレーションモジュールを前記ＡＡＡエンティティに結合させることをさらに具備し、前記ＡＡＡエミュレーションモジュールは、モバイルＩＰフォーリンエージェントチャレンジ認証及び３ＧＰＰ２パケットデータアカウンティングに関してホームネットワークのＡＡＡと対話することによってアカウンティング機能を提供する、請求項２３に記載の方法。
【請求項２９】
シンプルＩＰを使用するＣＤＭＡ２０００パケットデータネイティブ加入者が移動先ＧＲＰＳシステムにローミング時に、ホームＣＤＭＡ２０００パケットデータシステムとＳＧＳＮを具備する移動先ＧＰＲＳシステムとの間における通信を可能にする方法であって、前記ホームＣＤＭＡ２０００パケットデータシステムは、ＡＮＳＩ−４１ホームロケーションレジスタと、ＡＡＡエンティティと、ＬＮＳと、を具備し、
第１のインタフェースを介してＡＮＳＩ−４１移動先ロケーションレジスタを前記ＡＮＳＩ−４１ホームロケーションレジスタに結合させることであって、前記ＡＮＳＩ−４１移動先ロケーションレジスタは、加入者が前記第１のインタフェースを通じて登録するのを可能にすることと、
第２のインタフェースを介してＧＳＭホームロケーションレジスタを前記ＳＧＳＮに結合させることであって、前記ＧＳＭホームロケーションレジスタは、加入者が前記第２のインタフェースを通じて登録するのを可能にすること、とを具備する方法。
【請求項３０】
第３のインタフェースを通じてＬＡＣエミュレーションモジュールを前記ＬＮＳに結合させることであって、前記ＬＡＣエミュレーションモジュールは、前記第３のインタフェースを通じての前記移動先ネットワークと前記ホームネットワークとの間におけるベア接続性をサポートすることと、第４のインタフェースを介してＧＧＳＮエミュレーションモジュールを前記ＳＧＳＮに結合させることであって、前記ＧＧＳＮエミュレーションモジュールは、ＧＧＳＮインタフェースを前記移動先システムに提示し更に通常のルーティングインタフェースを前記ＣＤＭＡ２０００パケットデータシステムに提示しそれによって前記ＧＧＳＮインタフェースと前記ホームシステムとの間においてパケットルーティング機能を提供することによって、前記第４のインタフェースを通じて前記移動先ネットワークと前記ホームネットワークとの間におけるベア接続性をサポートすること、とをさらに具備する、請求項２９に記載の方法。
【請求項３１】
ＧＴＰトンネル及びＩＰＳｅｃトンネルに関するエンドポイントを提供することをさらに具備する、請求項２９に記載の方法。
【請求項３２】
第５のインタフェースを介してＡＡＡエミュレーションモジュールを前記ＡＡＡエンティティに結合させることをさらに具備し、前記ＡＡＡエミュレーションモジュールは、前記第５のインタフェースを通じてＬ２ＴＰ認証及び３ＧＰＰ２パケットデータアカウンティングに関して前記ホームネットワークのＡＡＡと対話することによってアカウンティング機能を提供する、請求項３１に記載の方法。
【請求項３３】
モバイルＩＰｖ４を使用するＧＰＲＳネイティブ加入者が前記移動先ＣＤＭＡ２０００パケットデータシステムにローミング時に、ＧＳＭホームロケーションレジスタ、ＧＧＳＮ、及びＡＡＡエンティティを具備するホームＧＰＲＳシステムと、ＡＮＳＩ−４１移動先ロケーションレジスタ、ＡＡＡエンティティ、及びパケットデータ提供ノード／フォーリンエージェントを具備する移動先ＣＤＭＡ２０００パケットデータシステムと、の間における通信を可能にする方法であって、
第１のインタフェースを介してホームエージェントエミュレーションモジュールを前記パケットデータ提供ノード／フォーリンエージェントに結合させることであって、前記ホームエージェントエミュレーションモジュールは、ホームエージェントインタフェースを前記移動先システムに提示することと、
第２のインタフェースを介してＳＧＳＮエミュレーションモジュールを前記ＧＧＳＮに結合させることであって、前記ＳＧＳＮエミュレーションモジュールは、ＳＧＳＮインタフェースと前記ホームエージェントインタフェースとの間においてパケットルーティング機能を提供することによって前記移動先ネットワークと前記ホームネットワークとの間におけるベアラ接続性をサポートするために前記ＳＧＳＮインタフェースを前記ホームシステムに提示すること、とを具備する方法。
【請求項３４】
ＧＴＰトンネル及びモバイルＩＰトンネルに関するエンドポイントを提供することをさらに具備する、請求項３３に記載の方法。
【請求項３５】
加入者が登録するのを可能にするために、第３のインタフェースを介してＡＮＳＩ−４１ホームロケーションレジスタエミュレーションモジュールを前記ＡＮＳＩ−４１移動先ロケーションレジスタに結合させることと、第３のインタフェースを介してＧＳＭ移動先ロケーションレジスタエミュレーションモジュールを前記ＧＳＭホームロケーションレジスタに結合させること、とを具備する、請求項３３に記載の方法。
【請求項３６】
ＡＡＡエミュレーションモジュールを、第４のインタフェースを介して前記ＡＡＡエンティティに結合し、第５のインタフェースを介して前記ＡＡＡエンティティに結合させることをさらに具備し、前記ＡＡＡエミュレーションモジュールは、前記第５のインタフェースを通じてモバイルＩＰ認証及び３ＧＰＰ２パケットデータアカウンティングに関して前記移動先ネットワークのＡＡＡと対話し、前記第４のインタフェースを通じて３ＧＰＰパケットデータアカウンティングに関して前記ホームネットワークのＡＡＡと対話する、請求項３５に記載の方法。
【請求項３７】
シンプルＩＰを使用するＧＰＲＳネイティブ加入者が前記移動先ＣＤＭＡ２０００パケットデータシステムにローミング時に、ＧＳＭホームロケーションレジスタ、ＧＧＳＮ、及びＡＡＡエンティティを具備するホームＧＰＲＳシステムと、ＡＮＳＩ−４１移動先ロケーションレジスタ、ＡＡＡエンティティ、及びパケットデータ提供ノード／ＬＡＣエンティティを具備する移動先ＣＤＭＡ２０００パケットデータシステムと、の間における通信を可能にする方法であって、
第１のインタフェースを介してＳＧＳＮエミュレーションモジュールを前記ＧＧＳＮに結合させることであって、前記ＳＧＳＮエミュレーションモジュールは、ＳＧＳＮインタフェースを前記ホームシステムに提示することと、
第２のインタフェースを通じてＬＮＳエミュレーションモジュールを前記パケットデータ提供ノード／ＬＡＣエンティティに結合させることであって、前記ＬＮＳエミュレーションモジュールは、Ｌ２ＴＰネットワークサーバー（ＬＮＳ）インタフェースを前記移動先システムに提示することを具備し、前記インタフェースは、前記ＳＧＳＮエミュレーションモジュールと前記ＬＮＳエミュレーションモジュールとの間において前記パケットルーティング機能を提供する、方法。
【請求項３８】
パケットルーティング機能を提供することによって前記移動先ネットワークと前記ホームネットワークとの間においてベアラ接続性がサポートされる、請求項３７に記載の方法。
【請求項３９】
ＧＴＰトンネル及びモバイルＬ２ＴＰトンネルに関するエンドポイントを提供することをさらに具備する、請求項３８に記載の方法。
【請求項４０】
第３のインタフェースを介してＡＮＳＩ−４１ホームロケーションレジスタエミュレーションモジュールを前記ＡＮＳＩ−４１移動先ロケーションレジスタに結合させることであって、前記ＡＮＳＩ−４１ホームロケーションレジスタエミュレーションモジュールは、加入者が登録するのを可能にすることと、別の第３のインタフェースを介してＧＳＭ移動先ロケーションレジスタエミュレーションモジュールを前記ＧＳＭホームロケーションレジスタに結合させることであって、前記ＧＳＭ移動先ロケーションレジスタエミュレーションモジュールは、前記加入者が登録するのを可能にすること、とをさらに具備する、請求項３８に記載の方法。
【請求項４１】
ＡＡＡエミュレーションモジュールを、第４のインタフェースを介して前記ＡＡＡエンティティに結合し、第５のインタフェースを介して前記ＡＡＡエンティティに結合させることをさらに具備し、前記ＡＡＡエミュレーションモジュールは、第５のインタフェースを通じてＬ２ＴＰ認証及び３ＧＰＰ２パケットデータアカウンティングに関して前記移動先ネットワークのＡＡＡエンティティと対話し、第６のインタフェースを通じて３ＧＰＰパケットデータアカウンティングに関して前記ホームネットワークのＡＡＡエンティティと対話する、請求項４０に記載の方法。
【請求項４２】
モバイルＩＰｖ４を使用するＣＤＭＡ２０００パケットデータネイティブ加入者が、ＳＧＳＮを具備する移動先ＧＰＲＳシステムにローミングするシステムであって、
ＡＮＳＩ−４１ホームロケーションレジスタと、ＡＡＡエンティティと、ホームエージェントと、を具備するホームＣＤＭＡ２０００パケットデータシステムと、
前記ホームシステムと前記移動先システムとの間における通信を可能にするために前記ホームシステムを前記移動先システムに結合させるインタフェースエンティティと、を具備するシステム。
【請求項４３】
前記ホームＣＤＭＡ２０００パケットデータシステムは、ＡＮＳＩ−４１ホームロケーションレジスタと、ＡＡＡエンティティと、ホームエージェントと、を具備し、前記インタフェースエンティティは、第１のインタフェースを介して前記ＳＧＳＮに結合されて加入者が前記第１のインタフェースを通じて登録するのを可能にするＧＳＭホームロケーションレジスタエミュレーションモジュールと、第２のインタフェースを介して前記ＡＮＳＩ−４１ホームロケーションレジスタに結合されて加入者が前記第２のインタフェースを通じて登録するのを可能にするＡＮＳＩ−４１移動先ロケーションレジスタエミュレーションモジュールと、をさらに具備する、請求項４２に記載のシステム。
【請求項４４】
前記インタフェースエンティティは、第３のインタフェースを介して前記ホームエージェントに結合されたフォーリンエージェントエミュレーションモジュールであって、フォーリンエージェントインタフェース及びＡＡＡインタフェースが前記第３のインタフェースを通じて前記ＣＤＭＡ２０００パケットデータシステムに提示されるようにするために前記移動先システムと前記ホームシステムとの間におけるベアラ接続性をサポートするフォーリンエージェントエミュレーションモジュールと、第４のインタフェースを通じて前記ＳＧＳＮに結合されたＧＧＳＮエミュレーションモジュールであって、ＧＧＳＮインタフェースが前記第４のインタフェースを通じて前記移動先システムに提示されるようにするために前記移動先システムと前記ホームシステムとの間においてベアラ接続性をサポートするＧＧＳＮエミュレーションモジュールと、をさらに具備する、請求項４２に記載のシステム。
【請求項４５】
前記インタフェースエンティティは、ＧＴＰトンネル及びモバイルＩＰトンネルに関するエンドポイントとして機能する、請求項４４に記載のシステム。
【請求項４６】
前記インタフェースエンティティは、前記ＧＧＳＮインタフェースと前記フォーリンエージェントインタフェースとの間においてパケットルーティング機能を提供する、請求項４５に記載のシステム。
【請求項４７】
前記インタフェースエンティティは、第５のインタフェースを介して前記ＡＡＡエンティティに結合されたＡＡＡエミュレーションモジュールであって、モバイルＩＰフォーリンエージェントチャレンジ認証及び３ＧＰＰ２パケットデータアカウンティングに関してホームネットワークのＡＡＡと対話することによってアカウンティング機能を提供するＡＡＡエミュレーションモジュール、をさらに具備する、請求項４２に記載のシステム。
【請求項４８】
シンプルＩＰを使用するＣＤＭＡ２０００パケットデータネイティブ加入者が、ＳＧＳＮを具備する移動先ＧＰＲＳシステムにローミングするシステムであって、
ＡＮＳＩ−４１ホームロケーションレジスタと、ＡＡＡエンティティと、ＬＮＳと、を具備するホームＣＤＭＡ２０００パケットデータシステムと、
前記ホームシステムと前記移動先システムとの間における通信を可能にするために前記ホームシステムを前記移動先システムに結合させるインタフェースエンティティと、を具備するシステム。
【請求項４９】
前記インタフェースエンティティは、第１のインタフェースを介して前記ＡＮＳＩ−４１ホームロケーションレジスタに結合されて加入者が前記第１のインタフェースを通じて登録するのを可能にすることと、第２のインタフェースを介して前記ＳＧＳＮに結合されて加入者が前記第２のインタフェースを通じて登録するのを可能にするＧＳＭホームロケーションレジスタと、をさらに具備する、請求項４８に記載のシステム。
【請求項５０】
前記インタフェースエンティティは、第３のインタフェースを介してＬＮＳに結合されたＬＡＣエミュレーションモジュールであって、前記第３のインタフェースを通じて前記移動先ネットワークと前記ホームネットワークとの間におけるベアラ接続性をサポートするＬＡＣエミュレーションモジュールと、第４のインタフェースを介して前記ＳＧＳＮに結合されたＧＧＳＮエミュレーションモジュールであって、ＧＧＳＮインタフェースを前記移動先システムに提示し更に通常のルーティングインタフェースを前記ＣＤＭＡ２０００パケットデータシステムに提示しそれによって前記ＧＧＳＮインタフェースと前記ホームシステムとの間においてパケットルーティング機能を提供することによって前記第４のインタフェースを通じて前記移動先ネットワークと前記ホームネットワークとの間におけるベアラ接続性をサポートするＧＧＳＮエミュレーションモジュールと、をさらに具備する、請求項４９に記載のシステム。
【請求項５１】
前記インタフェースは、ＧＴＰトンネル及びモバイルＩＰＳｅｃトンネルに関するエンドポイントとして機能する、請求項５０に記載のシステム。
【請求項５２】
前記インタフェースは、第５のインタフェースを通じて前記ＡＡＡエンティティに結合されたＡＡＡエミュレーションモジュールであって、前記第５のインタフェースを通じてＬ２ＴＰ認証及び３ＧＰＰ２パケットデータアカウンティングに関して前記ホームネットワークのＡＡＡと対話することによってアカウンティング機能を提供するＡＡＡエミュレーションモジュール、をさらに具備する、請求項５１に記載のシステム。
【請求項５３】
モバイルＩＰｖ４を使用するＧＰＲＳネイティブ加入者が、ＡＮＳＩ−４１移動先ロケーションレジスタと、ＡＡＡエンティティと、パケットデータ提供ノード／フォーリンエージェントと、を具備する移動先ＣＤＭＡ２０００パケットデータシステムにローミングするシステムであって、
ＧＳＭホームロケーションレジスタと、ＧＧＳＮと、ＡＡＡエンティティと、を具備するホームＧＰＲＳシステムと、
前記ホームシステムを前記移動先システムに結合させるインタフェースエンティティであって、前記ホームシステムと前記移動先システムとの間における通信を可能にするインタフェースエンティティと、を具備するシステム。
【請求項５４】
前記インタフェースエンティティは、第１のインタフェースを介して前記パケットデータ提供ノード／フォーリンエージェントに結合されたホームエージェントエミュレーションモジュールであって、ホームエージェントインタフェースを前記移動先システムに提示するホームエージェントエミュレーションモジュールと、第２のインタフェースを介して前記ＧＧＳＮに結合されたＳＧＳＮエミュレーションモジュールであって、ＳＧＳＮインタフェースと前記ホームエージェントインタフェースとの間においてパケットルーティング機能を提供することによって前記移動先ネットワークと前記ホームネットワークとの間におけるベアラ接続性をサポートするために前記ＳＧＳＮインタフェースを前記ホームシステムに提示するＳＧＳＮエミュレーションモジュールと、をさらに具備する、請求項５３に記載のシステム。
【請求項５５】
前記インタフェースエンティティは、ＧＴＰトンネル及びモバイルＩＰトンネルに関するエンドポイントとして機能する、請求項５４に記載のシステム。
【請求項５６】
前記インタフェースエンティティは、加入者が登録するのを可能にするために、第３のインタフェースを介して前記ＡＮＳＩ−４１移動先ロケーションレジスタに結合されたＡＮＳＩ−４１ホームロケーションレジスタエミュレーションモジュールと、第３のインタフェースを介して前記ＧＳＭホームロケーションレジスタに結合されたＧＳＭ移動先ロケーションレジスタエミュレーションモジュールと、をさらに具備する、請求項５４に記載のシステム。
【請求項５７】
前記インタフェースエンティティは、第４のインタフェースを介して前記ＡＡＡエンティティに結合され更に第５のインタフェースを介して前記ＡＡＡエンティティに結合されたＡＡＡエミュレーションモジュールであって、前記第５のインタフェースを通じてモバイルＩＰ認証及び３ＧＰＰ２パケットデータアカウンティングに関して前記移動先ネットワークのＡＡＡと対話し、前記第４のインタフェースを通じて３ＧＰＰパケットデータアカウンティングに関して前記ホームネットワークのＡＡＡと対話する、ＡＡＡエミュレーションモジュール、をさらに具備する、請求項５６に記載のシステム。
【請求項５８】
シンプルＩＰを使用するＧＰＲＳネイティブ加入者が、ＡＮＳＩ−４１移動先ロケーションレジスタと、ＡＡＡエンティティと、ＰＤＳＮ／ＬＡＣエンティティと、を具備する移動先ＣＤＭＡ２０００パケットデータシステムにローミングするシステムであって、
ＧＳＭホームロケーションレジスタと、ＧＧＳＮと、ＡＡＡエンティティと、を具備するホームＧＰＲＳシステムと、
前記ホームシステムを前記移動先システムに結合させるインタフェースエンティティであって、前記ホームシステムと前記移動先システムとの間における通信を可能にするインタフェースエンティティと、を具備する、システム。
【請求項５９】
前記インタフェースエンティティは、パケットルーティング機能を提供することによって前記移動先ネットワークと前記ホームネットワークとの間におけるベアラ接続性をサポートする、請求項５８に記載のシステム。
【請求項６０】
前記インタフェースエンティティは、第１のインタフェースを通じて前記ＧＧＳＮに結合されてＳＧＳＮインタフェースを前記ホームシステムに提示するＳＧＳＮエミュレーションモジュールと、第２のインタフェースを通じて前記パケットデータ提供ノード／ＬＡＣエンティティに結合されてＬ２ＴＰネットワークサーバー（ＬＮＳ）インタフェースを前記移動先システムに提示するＬＮＳエミュレーションモジュールと、をさらに具備し、前記インタフェースは、前記ＳＧＳＮエミュレーションモジュールと前記ＬＮＳエミュレーションモジュールとの間において前記パケットルーティング機能を提供する、請求項５９に記載のシステム。
【請求項６１】
前記インタフェースエンティティは、ＧＴＰトンネル及びモバイルＬ２ＴＰトンネルに関するエンドポイントとして機能する、請求項６０に記載のシステム。
【請求項６２】
前記インタフェースエンティティは、第３のインタフェースを介して前記ＡＮＳＩ−４１移動先ロケーションレジスタに結合されて加入者が登録するのを可能にするＡＮＳＩ−４１ホームロケーションレジスタエミュレーションモジュールと、別の第３のインタフェースを介して前記ＧＳＭホームロケーションレジスタに結合されて前記加入者が登録するのを可能にするＧＳＭ移動先ロケーションレジスタエミュレーションモジュールと、をさらに具備する、請求項６１に記載のシステム。
【請求項６３】
前記インタフェースエンティティは、第４のインタフェースを介して前記ＡＡＡエンティティに結合され更に第５のインタフェースを介して前記ＡＡＡエンティティに結合されたＡＡＡエミュレーションモジュールであって、第５のインタフェースを通じてＬ２ＴＰ認証及び３ＧＰＰ２パケットデータアカウンティングに関して前記移動先ネットワークのＡＡＡエンティティと対話し、更に、第６のインタフェースを通じて３ＧＰＰパケットデータアカウンティングに関して前記ホームネットワークのＡＡＡエンティティと対話する、ＡＡＡエミュレーションモジュール、をさらに具備する、請求項６２に記載のシステム。
【請求項６４】
モバイルＩＰｖ４を使用するＣＤＭＡ２０００パケットデータネイティブ加入者が移動先ＧＰＲＳシステムにローミング時に、ホームＣＤＭＡ２０００パケットデータシステムとＳＧＳＮを具備する移動先ＧＰＲＳシステムとの間における通信を可能にするインタフェースエンティティ。
【請求項６５】
前記ＣＤＭＡ２０００パケットデータインタフェースエンティティは、ＡＮＳＩ−４１ホームロケーションレジスタと、ＡＡＡエンティティと、ホームエージェントと、を具備し、第１のインタフェースを介して前記ＳＧＳＮに結合されて加入者が前記第１のインタフェースを通じて登録するのを可能にするＧＳＭホームロケーションレジスタエミュレーションモジュールと、第２のインタフェースを介して前記ＡＮＳＩ−４１ホームロケーションレジスタに結合されて加入者が前記第２のインタフェースを通じて登録するのを可能にするＡＮＳＩ−４１移動先ロケーションレジスタエミュレーションモジュールと、をさらに具備する、請求項６４に記載のインタフェースエンティティ。
【請求項６６】
第３のインタフェースを介して前記ホームエージェントに結合されたフォーリンエージェントエミュレーションモジュールであって、フォーリンエージェントインタフェース及びＡＡＡインタフェースが前記第３のインタフェースを通じて前記ＣＤＭＡ２０００パケットデータインタフェースエンティティに提示されるようにするために前記移動先インタフェースエンティティと前記ホームインタフェースエンティティとの間におけるベアラ接続性をサポートするフォーリンエージェントエミュレーションモジュールと、第４のインタフェースを介して前記ＳＧＳＮに結合されたＧＧＳＮエミュレーションモジュールであって、ＧＧＳＮインタフェースが前記第４のインタフェースを通じて前記移動先インタフェースエンティティに提示されるようにするために前記移動先インタフェースエンティティと前記ホームインタフェースエンティティとの間におけるベアラ接続性をサポートするＧＧＳＮエミュレーションモジュールと、をさらに具備する、請求項６４に記載のインタフェースエンティティ。
【請求項６７】
ＧＴＰトンネル及びモバイルＩＰトンネルに関するエンドポイントとして機能する、請求項６６に記載のインタフェースエンティティ。
【請求項６８】
前記ＧＧＳＮインタフェースと前記フォーリンエージェントインタフェースとの間においてパケットルーティング機能を提供する、請求項６７に記載のインタフェースエンティティ。
【請求項６９】
第５のインタフェースを介して前記ＡＡＡエンティティに結合され、モバイルＩＰフォーリンエージェントチャレンジ認証及び３ＧＰＰ２パケットデータアカウンティングに関してホームネットワークのＡＡＡと対話することによってアカウンティング機能を提供する、ＡＡＡエミュレーションモジュール、をさらに具備する、請求項６４に記載のインタフェースエンティティ。
【請求項７０】
シンプルＩＰを使用するＣＤＭＡ２０００パケットデータネイティブ加入者が移動先ＧＰＲＳシステムにローミング時に、ホームＣＤＭＡ２０００パケットデータシステムとＳＧＳＮを具備する移動先ＧＰＲＳシステムとの間における通信を可能にするインタフェースエンティティ。
【請求項７１】
前記ホームＣＤＭＡ２０００パケットデータシステムは、ＡＮＳＩ−４１ホームロケーションレジスタと、ＡＡＡエンティティと、ＬＮＳと、を具備し、第１のインタフェースを介して前記ＡＮＳＩ−４１ホームロケーションレジスタに結合されて加入者が前記第１のインタフェースを通じて登録するのを可能にするＡＮＳＩ−４１移動先ロケーションレジスタと、第２のインタフェースを介して前記ＳＧＳＮに結合されて加入者が前記第２のインタフェースを通じて登録するのを可能にするＧＳＭホームロケーションレジスタと、をさらに具備する、請求項７０に記載のインタフェースエンティティ。
【請求項７２】
第３のインタフェースを介して前記ＬＮＳに結合され、前記第３のインタフェースを通じて前記移動先ネットワークと前記ホームネットワークとの間におけるベアラ接続性をサポートする、ＬＡＣエミュレーションモジュールと、第４のインタフェースを介して前記ＳＧＳＮに結合され、ＧＧＳＮインタフェースを前記移動先システムに提示し更に通常のルーティングインタフェースを前記ＣＤＭＡ２０００パケットデータシステムに提示しそれによって前記ＧＧＳＮインタフェースと前記ホームシステムとの間においてパケットルーティング機能を提供することによって前記第４のインタフェースを通じて前記移動先ネットワークと前記ホームネットワークとの間におけるベアラ接続性をサポートする、ＧＧＳＮエミュレーションモジュールと、をさらに具備する、請求項７１に記載のインタフェースエンティティ。
【請求項７３】
ＧＴＰトンネル及びＩＰＳｅｃトンネルに関するエンドポイントとして機能する、請求項７２に記載のインタフェースエンティティ。
【請求項７４】
第５のインタフェースを介して前記ＡＡＡエンティティに結合され、前記第５のインタフェースを通じてＬ２ＴＰ認証及び３ＧＰＰ２パケットデータアカウンティングに関して前記ホームネットワークのＡＡＡと対話することによってアカウンティング機能を提供する、ＡＡＡエミュレーションモジュール、をさらに具備する、請求項７３に記載のインタフェースエンティティ。
【請求項７５】
モバイルＩＰｖ４を使用するＧＰＲＳネイティブ加入者が前記移動先ＣＤＭＡ２０００パケットデータシステムにローミング時に、ＧＳＭホームロケーションレジスタ、ＧＧＳＮ、及びＡＡＡエンティティを具備するホームＧＰＲＳシステムと、ＡＮＳＩ−４１移動先ロケーションレジスタ、ＡＡＡエンティティ、及びパケットデータ提供ノード／フォーリンエージェントを具備する移動先ＣＤＭＡ２０００パケットデータシステムと、の間における通信を可能にするインタフェースエンティティ。
【請求項７６】
第１のインタフェースを介して前記パケットデータ提供ノード／フォーリンエージェントに結合され、ホームエージェントインタフェースを前記移動先システムに提示する、ホームエージェントエミュレーションモジュールと、第２のインタフェースを介して前記ＧＧＳＮに結合され、ＳＧＳＮインタフェースと前記ホームエージェントインタフェースとの間においてパケットルーティング機能を提供することによって前記移動先ネットワークと前記ホームネットワークとの間におけるベアラ接続性をサポートするために前記ＳＧＳＮインタフェースを前記ホームシステムに提示する、ＳＧＳＮエミュレーションモジュールと、をさらに具備する、請求項７５に記載のインタフェースエンティティ。
【請求項７７】
ＧＴＰトンネル及びモバイルＩＰトンネルに関するエンドポイントとして機能する、請求項７６に記載のインタフェースエンティティ。
【請求項７８】
加入者が登録するのを可能にするために、第３のインタフェースを介して前記ＡＮＳＩ−４１移動先ロケーションレジスタに結合されたＡＮＳＩ−４１ホームロケーションレジスタエミュレーションモジュールと、第３のインタフェースを介して前記ＧＳＭホームロケーションレジスタに結合されたＧＳＭ移動先ロケーションレジスタエミュレーションモジュールと、をさらに具備する、請求項７６に記載のインタフェースエンティティ。
【請求項７９】
第４のインタフェースを介して前記ＡＡＡエンティティに結合され更に第５のインタフェースを介して前記ＡＡＡエンティティに結合され、前記第５のインタフェースを通じてモバイルＩＰ認証及び３ＧＰＰ２パケットデータアカウンティングに関して前記移動先ネットワークのＡＡＡと対話し、更に、前記第４のインタフェースを通じて３ＧＰＰパケットデータアカウンティングに関して前記ホームネットワークのＡＡＡと対話する、ＡＡＡエミュレーションモジュール、をさらに具備する、請求項７８に記載のインタフェースエンティティ。
【請求項８０】
シンプルＩＰを使用するＧＰＲＳネイティブ加入者が、前記移動先ＣＤＭＡ２０００パケットデータシステムにローミング時に、ＧＳＭホームロケーションレジスタ、ＧＧＳＮ、及びＡＡＡエンティティを具備するホームＧＰＲＳシステムと、ＡＮＳＩ−４１移動先ロケーションレジスタ、ＡＡＡエンティティ、及びパケットデータ提供ノード／ＬＡＣエンティティを具備する移動先ＣＤＭＡ２０００パケットデータシステムと、の間における通信を可能にするインタフェースエンティティ。
【請求項８１】
パケットルーティング機能を提供することによって前記移動先ネットワークと前記ホームネットワークとの間におけるベアラ接続性をサポートする、請求項８０に記載のインタフェースエンティティ。
【請求項８２】
第１のインタフェースを通じて前記ＧＧＳＮに結合され、ＳＧＳＮインタフェースを前記ホームシステムに提示するＳＧＳＮエミュレーションモジュールと、第２のインタフェースを通じて前記パケットデータ提供ノード／ＬＡＣエンティティに結合され、Ｌ２ＴＰネットワークサーバー（ＬＮＳ）インタフェースを前記移動先システムに提示する、ＬＮＳエミュレーションモジュールと、をさらに具備し、前記インタフェースは、前記ＳＧＳＮエミュレーションモジュールと前記ＬＮＳエミュレーションモジュールとの間において前記パケットルーティング機能を提供する、請求項８１に記載のインタフェースエンティティ。
【請求項８３】
ＧＴＰトンネル及びモバイルＬ２ＴＰトンネルに関するエンドポイントとして機能する、請求項８２に記載のインタフェースエンティティ。
【請求項８４】
第３のインタフェースを介して前記ＡＮＳＩ−４１移動先ロケーションレジスタに結合されて加入者が登録するのを可能にするＡＮＳＩ−４１ホームロケーションレジスタエミュレーションモジュールと、別の第３のインタフェースを介して前記ＧＳＭホームロケーションレジスタに結合されて前記加入者が登録するのを可能にするＧＳＭ移動先ロケーションレジスタエミュレーションモジュールと、をさらに具備する、請求項８３に記載のインタフェースエンティティ。
【請求項８５】
第４のインタフェースを介して前記ＡＡＡエンティティに結合され更に第５のインタフェースを介して前記ＡＡＡエンティティに結合され、Ｌ２ＴＰ認証及び３ＧＰＰ２パケットデータアカウンティングに関して第５のインタフェースを通じて前記移動先ネットワークのＡＡＡエンティティと対話し、更に、３ＧＰＰパケットデータアカウンティングに関して第６のインタフェースを通じて前記ホームネットワークのＡＡＡエンティティと対話する、ＡＡＡエミュレーションモジュール、をさらに具備する、請求項８４に記載のインタフェースエンティティ。
【発明の詳細な説明】
【技術分野】
【０００１】
本特許出願は、本明細書の譲受人に対して譲渡されており更に本明細書において参照することによって本明細書に組み入れられている"CDMA/GPRS Packet Data Roaming"（ＣＤＭＡ／ＧＰＲＳパケットデータローミング）という題名の米国仮特許出願番号 ６０／５２６，５５７(出願日:  ２００３年１２月３日)に対する優先権を主張するものである。
【０００２】
本明細書において開示されている実施形態は、一般的には、無線通信に関するものである。本実施形態は、より具体的には、ＣＤＭＡ２０００システム及びＧＰＲＳシステムに関わるローミングに関するものである。
【背景技術】
【０００３】
無線通信加入者は、自己の既存の加入契約に基づいてサービスにアクセスするために自己の無線端末を自己のホームシステム以外の無線システムと共に使用できるようにすることを希望する場合がある。これらのサービスへのアクセスは、自己のホームシステム以外の無線システムを通じて行われ、自己の通常の無線端末とは独立している。このことは、例えば、加入者が自己のホームシステムのサービスエリア外においてローミング中に発生する。従って、メーカー及びシステムオペレータは、加入者の端末及びサービスを提供するシステムが適合可能であることを条件として、加入者が自己の端末及び加入契約を用いて自己のホームシステムでないシステムを介してサービスを受け取るのを可能にすることを希望している。
【０００４】
ローミング中の加入者にサービスを提供することは、サービス提供システム及びホームシステムが同一の技術を採用している場合でさえも難しい可能性がある。サービス提供システムが、加入者のホームシステムにおいて使用されているエアインタフェースと異なるエアインタフェースを使用時には、これらのシステム間におけるインターワーキングは、メッセージプロトコル、コールモデル、等の基本的な相違に起因して実施されるのが一般的である。このインターワーキングは、インターワーキング・相互運用機能（ＩＩＦ）を通じて達成させることができる。
【０００５】
ＩＩＦの一例が、ブライト、等を著者とし、"Interworking and Interoperability of GPRS Systems With Systems of Other Technology Families"（ＧＰＲＳシステムとその他の技術系列のシステムとの間のインターワーキング及び相互運用性）という題名の米国特許出願２００２／０９４８１１  Ａ１において説明されている。米国特許出願２００２／０９４８１１  Ａ１は、サービスを提供するＧＳＭ／ＧＰＲＳ無線システムと異種技術系列の第２の無線システムとの間に介在するＧＰＲＳインターワーキング・相互運用機能（ＩＩＦ）を提供する。ＩＩＦは、該第２の無線システムをホームとする移動局がＧＳＭ／ＧＰＲＳシステム内において動作するのを可能にする。米国特許出願２００２／０９４８１１  Ａ１では、サービスを提供するＧＳＭ及び／又はＧＰＲＳシステムと幾つかの一定の「ドメスティックワイヤレス」（ｄｏｍｅｓｔｉｃ  ｗｉｒｅｌｅｓｓ）システムとのインターワーキング及び相互運用を可能にする遠距離通信システム構成要素が提供される。例えば、該ドメスティックワイヤレスシステムをホームシステムとするが、ＧＰＲＳ専用モードのサービス提供システムに登録されている移動局は、該サービス提供システムからサービスを受け取ることができる。米国特許出願２００２／０９４８１１  Ａ１では、「ドメスティックワイヤレス」（ＤＷ）は、ＡＮＳＩ規格、又は、ＴＤＭＡ、ＣＤＭＡ、及び（北米において一般的に使用されている）アナログセルラーシステムに関する同等の規格と適合するか又はその他の類似のシステムと適合する非ＧＳＭシステムを意味することが意図されている。
【０００６】
米国特許出願２００２／０９４８１１  Ａ１は、ＣＤＭＡ無線システムをホームとする移動局がＣＳＭ／ＧＰＲＳシステムにおいて動作するのをＩＩＦが可能にする必要があることを認めているが、米国特許出願２００２／０９４８１１  Ａ１は、端末がモバイルＩＰ又はシンプルＩＰを使用時のＣＤＭＡ２０００／ＧＰＲＳローミングシナリオに合わせて適合化されたＩＩＦについては論じていない。又、米国特許出願２００２／０９４８１１  Ａ１は、ＣＤＭＡ２０００無線システムをホームとする移動局がモバイルＩＰ又はシンプルＩＰを使用時に該端末がＧＳＭ／ＧＰＲＳシステムにおいて動作するのを可能にするＩＩＦをどのようにして構築することができるかに関する十分な情報、指示及び指針を提供していない。例えば、米国特許出願２００２／０９４８１１  Ａ１は、このようなＩＩＦを実装するためにはどのようなモジュールが必要であるかについての詳細、及び、このようなＩＩＦを実装するために必要な特定の動作を得るためにこれらのモジュールをどのような方法で相互に接続し、タイミングを合わせ更に制御するかに関する詳細、を示していない。
【０００７】
従って、モバイルＩＰｖ４を用いたＧＰＲＳフォーリンモード、シンプルＩＰｖ４又はＩＰｖ６を用いたＧＰＲＳフォーリンモード、モバイルＩＰｖ４を用いたＣＤＭＡ２０００パケットデータフォーリンモード、及び、シンプルＩＰ、モバイルＩＰｖ４又はモバイルＩＰｖ６を用いたＣＤＭＡ２０００パケットデータフォーリンモード、等のＣＤＭＡ２０００／ＧＰＲＳローミングシナリオに合わせて一般的アーキテクチャを適合化できるようにする必要がある。シンプルＩＰ、モバイルＩＰｖ４又はモバイルＩＰｖ６を使用するＣＤＭＡ２０００パケットデータネイティブ加入者がＧＰＲＳシステムにローミング時に、ＧＰＲＳシステムとＣＤＭＡ２０００パケットデータシステムとの間におけるベアラ接続性（ｂｅａｒｅｒ  ｃｏｎｎｅｃｔｉｖｉｔｙ）をサポートすることによって、ＣＤＭＡ２０００パケットデータシステムとＧＰＲＳシステムとの間における通信を可能にすることが望ましい。同様に、ＧＰＲＳネイティブ加入者がシンプルＩＰ、モバイルＩＰｖ４又はモバイルＩＰｖ６を用いてＧＰＲＳシステムからＣＤＭＡ２０００パケットデータシステムにローミング時に、ＧＰＲＳシステムとＣＤＭＡ２０００パケットデータシステムとの間におけるベアラ接続性をサポートすることによって、ＧＰＲＳシステムとＣＤＭＡ２０００パケットデータシステムとの間における通信を可能にすることが望ましい。
【発明の概要】
【０００８】
本発明の一側面においては、ＣＤＭＡ２０００パケットデータシステムとＧＰＲＳシステムとの間に介在されるインタフェースエンティティであって、ＣＤＭＡ２０００パケットデータネイティブ加入者がＧＰＲＳシステムにローミング時に、パケットルーティング機能を提供することによってＧＰＲＳシステムとＣＤＭＡ２０００パケットデータシステムとの間におけるベアラ接続性をサポートすることによって、ＣＤＭＡ２０００パケットデータシステムとＧＰＲＳシステムとの間における通信を可能にするインタフェースエンティティ、が提供される。
【０００９】
本発明の一側面においては、モバイルＩＰｖ４を使用するＣＤＭＡ２０００パケットデータネイティブ加入者が移動先ＧＰＲＳシステムにローミング時に、ホームＣＤＭＡ２０００パケットデータシステムとＳＧＳＮを具備する移動先ＧＰＲＳシステムとの間における通信を可能にするインタフェースエンティティが提供される。
【００１０】
例えば、ＣＤＭＡ２０００パケットデータネイティブ加入者が移動先システムにローミングし更にモバイルＩＰｖ４を使用する実施形態においては、ホームシステムと移動先システムとの間における通信を可能にするためにホームシステムを移動先システムに結合させるインタフェースエンティティを提供することができる。この状況においては、ホームシステムは、ＡＮＳＩ−４１ホームロケーションレジスタと、ＡＡＡエンティティと、ホームエージェントと、を含むことができるＣＤＭＡ２０００パケットデータシステムであり、移動先システムは、ＳＧＳＮを含むＧＰＲＳシステムであることができる。
【００１１】
この実施形態の一側面においては、該インタフェースは、ＧＳＭホームロケーションレジスタエミュレーションモジュールと、ＡＮＳＩ−４１移動先ロケーションレジスタエミュレーションモジュールと、を具備する。ＧＳＭホームロケーションレジスタエミュレーションモジュールは、Ｇｒインタフェースを介してＳＧＳＮに結合させることができ、加入者がＧｒインタフェースを通じて登録することを可能にする。他方、ＡＮＳＩ−４１移動先ロケーションレジスタエミュレーションモジュールは、Ｄインタフェースを介してＡＮＳＩ−４１移動先ロケーションレジスタに結合させることができ、加入者が該Ｄインタフェースを通じて登録することを可能にする。この実施形態の一側面においては、該インタフェースは、フォーリンエージェントエミュレーションモジュールと、ＧＧＳＮエミュレーションモジュールと、をさらに具備する。該フォーリンエージェントエミュレーションモジュールは、Ｘ１インタフェースを介してホームエージェントに結合させることができ、該Ｘ１インタフェースを通じてフォーリンエージェントインタフェース及びＡＡＡインタフェースがＣＤＭＡ２０００パケットデータシステムに提示されるようにするために移動先システムとホームシステムとの間におけるベアラ接続性をサポートする。ＧＧＳＮエミュレーションモジュールは、Ｇｐインタフェースを介してＳＧＳＮに結合させることができ、更に、該Ｇｐインタフェースを通じてＧＧＳＮインタフェースが移動先システムに提示されるようにするために移動先システムとホームシステムとの間におけるベアラ接続性をサポートすることができる。該インタフェースは、ＧＴＰトンネル及びモバイルＩＰトンネルに関するエンドポイントとして機能することができる。この実施形態においては、該インタフェースは、ＧＧＳＮインタフェースとフォーリンエージェントインタフェースとの間においてパケットルーティング機能を提供する。この実施形態のもう１つの側面においては、該インタフェースは、Ｘ３インタフェースを介してＡＡＡエンティティに結合させることができるＡＡＡエミュレーションモジュールを含むこともできる。この実施形態においては、ＡＡＡエミュレーションモジュールは、モバイルＩＰフォーリンエージェントチャレンジ認証及び３ＧＰＰ２パケットデータアカウンティングに関してホームネットワークのＡＡＡと対話することによってアカウンティング機能を提供する。
【００１２】
本発明の一側面においては、シンプルＩＰを使用するＣＤＭＡ２０００パケットデータネイティブ加入者が移動先ＧＰＲＳシステムにローミング時に、ホームＣＤＭＡ２０００パケットデータシステムとＳＧＳＮを具備する移動先ＧＰＲＳシステムとの間における通信を可能にするインタフェースエンティティが提供される。
【００１３】
ＣＤＭＡ２０００パケットデータネイティブ加入者が移動先システムにローミングし更にシンプルＩＰを使用する実施形態においては、ホームシステムと移動先システムとの間における通信を可能にするためにホームシステムを移動先システムに結合させるインタフェースエンティティを提供することができる。この状況においては、ホームシステムは、ＡＮＳＩ−４１ホームロケーションレジスタと、ＡＡＡエンティティと、ＬＮＳと、を含むことができるＣＤＭＡ２０００パケットデータシステムであり、移動先システムは、ＳＧＳＮを含むＧＰＲＳシステムであることができる。
【００１４】
この実施形態の一側面においては、該インタフェースは、ＡＮＳＩ−４１移動先ロケーションレジスタと、ＧＳＭホームロケーションレジスタと、を具備する。ＡＮＳＩ−４１移動先ロケーションレジスタは、Ｄインタフェースを介してＡＮＳＩ−４１ホームロケーションレジスタに結合させることができ、加入者が該Ｄインタフェースを通じて登録することを可能にする。ＧＳＭホームロケーションレジスタは、Ｇｒインタフェースを介してＳＧＳＮに結合させることができ、加入者が該Ｇｒインタフェースを通じて登録することを可能にする。この実施形態のもう１つの側面においては、該インタフェースは、ＬＡＣエミュレーションモジュールと、ＧＧＳＮエミュレーションモジュールと、を具備することができる。ＬＡＣエミュレーションモジュールは、Ｘ２インタフェースを介してＬＮＳに結合させることができ、Ｘ２インタフェースを通じての移動先ネットワークとホームネットワークとの間におけるベアラ接続性をサポートする。ＧＧＳＮエミュレーションモジュールは、Ｇｐインタフェースを介してＳＧＳＮに結合させることができ、更に、ＧＧＳＮインタフェースを移動先システムに提示し更に通常のルーティングインタフェースをＣＤＭＡ２０００パケットデータシステムに提示してそれによってＧＧＳＮインタフェースとホームシステムとの間においてパケットルーティング機能を提供することによって、Ｇｐインタフェースを通じての移動先ネットワークとホームネットワークとの間におけるベアラ接続性をサポートする。この場合は、該インタフェースは、ＧＴＰトンネル及びＩＰＳｅｃトンネルに関するエンドポイントとして機能する。この実施形態のさらに別の側面においては、該インタフェースは、Ｘ３インタフェースを介してＡＡＡエンティティに結合させることができるＡＡＡエミュレーションモジュールを含むことができる。ＡＡＡエミュレーションモジュールは、Ｘ３インタフェースを通じてＬ２ＴＰ認証及び３ＧＰＰ２パケットデータアカウンティングに関してホームネットワークのＡＡＡと対話することによってアカウンティング機能を提供することができる。
【００１５】
本発明の別の側面においては、ＧＰＲＳシステムとＣＤＭＡ２０００パケットデータシステムとの間に介在されるインタフェースエンティティであって、ＧＰＲＳネイティブ加入者がモバイルＩＰｖ４又はシンプルＩＰのうちの１つを用いてＧＰＲＳシステムからＣＤＭＡ２０００パケットデータシステムにローミング時に、パケットルーティング機能を提供することによってＧＰＲＳシステムとＣＤＭＡ２０００パケットデータシステムとの間におけるベアラ接続性をサポートすることによって、ＧＰＲＳシステムとＣＤＭＡ２０００パケットデータシステムとの間における通信を可能にするインタフェースエンティティ、が提供される。
【００１６】
本発明のさらにもう１つの側面においては、モバイルＩＰｖ４を使用するＧＰＲＳネイティブ加入者が移動先ＣＤＭＡ２０００パケットデータシステムにローミング時に、ＧＳＭホームロケーションレジスタ、ＧＧＳＮ、及びＡＡＡエンティティを具備するホームＧＰＲＳシステムと、ＡＮＳＩ−４１移動先ロケーションレジスタ、ＡＡＡエンティティ、及びパケットデータ提供ノード／フォーリンエージェントを具備する移動先ＣＤＭＡ２０００パケットデータシステムとの間における通信を可能にするインタフェースエンティティが提供される。
【００１７】
ＧＰＲＳネイティブ加入者が移動先システムにローミングし更にモバイルＩＰｖ４を使用する実施形態においては、ホームシステムと移動先システムとの間における通信を可能にするためにホームシステムを移動先システムに結合させるインタフェースエンティティを提供することができる。この状況においては、ホームシステムは、ＧＳＭホームロケーションレジスタと、ＧＧＳＮと、ＡＡＡエンティティと、を具備するＧＰＲＳシステムであり、移動先システムは、ＡＮＳＩ−４１移動先ロケーションレジスタと、ＡＡＡエンティティと、パケットデータ提供ノード／フォーリンエージェントと、を含むＣＤＭＡ２０００パケットデータシステムを具備することができる。
【００１８】
この実施形態の一側面においては、該インタフェースは、ホームエージェントエミュレーションモジュールと、ＳＧＳＮエミュレーションモジュールと、を具備する。ホームエージェントエミュレーションモジュールは、Ｘ１インタフェースを介してパケットデータ提供ノード／フォーリンエージェントに結合させることができ、ホームエージェントインタフェースを移動先システムに提示する。ＳＧＳＮエミュレーションモジュールは、Ｇｐインタフェースを介してＧＧＳＮに結合させることができ、ＳＧＳＮインタフェースとホームエージェントインタフェースとの間においてパケットルーティング機能を提供することによって移動先ネットワークとホームネットワークとの間におけるベアラ接続性をサポートするためにＳＧＳＮインタフェースをホームシステムに提示する。この場合、該インタフェースは、ＧＴＰトンネル及びモバイルＩＰトンネルに関するエンドポイントとして機能する。この実施形態の別の側面においては、該インタフェースは、ＡＮＳＩ−４１ホームロケーションレジスタエミュレーションモジュールと、ＧＳＭ移動先ロケーションレジスタエミュレーションモジュールと、を含むこともできる。ＡＮＳＩ−４１ホームロケーションレジスタエミュレーションモジュールは、Ｄインタフェースを介してＡＮＳＩ−４１移動先ホームロケーションレジスタに結合させることができ、ＧＳＭ移動先ロケーションレジスタエミュレーションモジュールは、Ｄインタフェースを介してＧＳＭホームロケーションレジスタに結合させることができ、加入者が登録することを可能にする。この実施形態のさらに別の側面においては、該インタフェースは、Ｇｉインタフェースを介してＡＡＡエンティティに結合させ更にＸ３インタフェースを介してＡＡＡエンティティに結合させることができるＡＡＡエミュレーションモジュールを含むこともできる。ＡＡＡエミュレーションモジュールは、Ｘ３インタフェースを通じて、モバイルＩＰ認証及び３ＧＰＰ２パケットデータアカウンティングに関して移動先ネットワークのＡＡＡと対話し、Ｇｉインタフェースを通じて、３ＧＰＰパケットデータアカウンティングに関してホームネットワークのＡＡＡと対話する。
【００１９】
本発明の一側面においては、シンプルＩＰを使用するＧＰＲＳネイティブ加入者が移動先ＣＤＭＡ２０００パケットデータシステムにローミング時に、ＧＳＭホームロケーションレジスタ、ＧＧＳＮ、及びＡＡＡエンティティを具備するホームＧＰＲＳシステムと、ＡＮＳＩ−４１移動先ロケーションレジスタ、ＡＡＡエンティティ、及びパケットデータ提供ノード／ＬＡＣエンティティを具備する移動先ＣＤＭＡ２０００パケットデータシステムとの間における通信を可能にするインタフェースエンティティが提供される。
【００２０】
ＧＰＲＳネイティブ加入者が移動先システムにローミングし更にシンプルＩＰを使用する実施形態においては、ホームシステムと移動先システムとの間における通信を可能にするためにホームシステムを移動先システムに結合させるインタフェースエンティティを提供することができる。この状況においては、ホームシステムは、ＧＳＭホームロケーションレジスタと、ＧＧＳＮと、ＡＡＡエンティティと、を具備するＧＰＲＳシステムであり、移動先システムは、ＡＮＳＩ−４１移動先ロケーションレジスタと、ＡＡＡエンティティと、パケットデータ提供ノード／ＬＡＣエンティティと、を含むＣＤＭＡ２０００パケットデータシステムを具備することができる。本発明の一側面においては、該インタフェースは、パケットルーティング機能を提供することによって移動先ネットワークとホームネットワークとの間におけるベアラ接続性をサポートする。例えば、該インタフェースは、ＳＧＳＮエミュレーションモジュールと、ＬＮＳエミュレーションモジュールと、を含むことができる。ＳＧＳＮエミュレーションモジュールは、Ｇｐインタフェースを通じてＧＧＳＮに結合させることができ、ＳＧＳＮインタフェースをホームシステムに提示する。ＬＮＳエミュレーションモジュールは、Ｘ２インタフェースを通じてパケットデータ提供ノード／ＬＡＣエンティティに結合させることができ、Ｌ２ＴＰネットワークサーバー（ＬＮＳ）インタフェースを移動先システムに提示する。従って、このインタフェースは、ＳＧＳＮエミュレーションモジュールとＬＮＳエミュレーションモジュールとの間においてパケットルーティング機能を提供する。この場合は、該インタフェースは、ＧＴＰトンネル及びモバイルＬ２ＴＰトンネルに関するエンドポイントとして機能する。
【００２１】
この実施形態のもう１つの側面においては、該インタフェースは、ＡＮＳＩ−４１ホームロケーションレジスタエミュレーションモジュールと、ＧＳＭ移動先ロケーションレジスタエミュレーションモジュールと、を具備する。ＡＮＳＩ−４１ホームロケーションレジスタエミュレーションモジュールは、Ｄインタフェースを介してＡＮＳＩ−４１移動先ロケーションレジスタに結合させることができ、ＧＳＭ移動先ロケーションレジスタエミュレーションモジュールは、別のＤインタフェースを介してＧＳＭホームロケーションレジスタに結合させることができる。このことは、加入者が登録することを可能にする。この実施形態のさらにもう１つの側面においては、該インタフェースは、Ｙ３インタフェースを介してＡＡＡエンティティに結合させること及びＸ３インタフェースを介してＡＡＡエンティティに結合させることができるＡＡＡエミュレーションモジュールを含むこともできる。ＡＡＡエミュレーションモジュールは、Ｘ３インタフェースを通じてＬ２ＴＰ認証及び３ＧＰＰ２パケットデータアカウンティングに関して移動先ネットワークのＡＡＡエンティティと対話し、Ｇｉインタフェースを通じて３ＧＰＰパケットデータアカウンティングに関してホームネットワークのＡＡＡエンティティと対話する。
【図面の簡単な説明】
【００２２】
【図１】ホームシステム、移動先システム、及び該ホームシステムと該移動先システムとの間における通信を可能にするインタフェースエンティティ、を具備するシステムのブロック図である。
【図２Ａ】モバイルＩＰｖ４を用いたＧＰＲＳフォーリンモードのブロック図である。
【図２Ｂ】ＧＰＲＳフォーリンモードにおけるモバイルＩＰｖ４の動作を示した呼フロー図である。
【図３Ａ】シンプルＩＰを用いたＧＰＲＳフォーリンモードのブロック図である。
【図３Ｂ】ＧＰＲＳフォーリンモードにおけるシンプルＩＰの動作を示した呼フロー図である。
【図４Ａ】モバイルＩＰｖ４を用いたＣＤＭＡ２０００パケットデータフォーリンモードのブロック図である。
【図４Ｂ】ＣＤＭＡ２０００パケットデータフォーリンモードにおけるモバイルＩＰｖ４の動作を示した呼フロー図である。
【図５Ａ】シンプルＩＰを用いたＣＤＭＡ２０００パケットデータフォーリンモードのブロック図である。
【図５Ｂ】ＣＤＭＡ２０００パケットデータフォーリンモードにおけるシンプルＩＰの動作を示した呼フロー図である。
【発明を実施するための形態】
【００２３】
本明細書における「典型的」という表現は、「１つの例、事例、又は実例」であることを意味する。本明細書において「典型的実施形態」として記述されている実施形態は、その他の実施形態よりも優先されるか又は有利であることを必ずしも意味するわけではない。
【００２４】
図１は、ホームシステム１０（ＣＤＭＡ２０００パケットデータシステム又はＧＰＲＳシステム、等）と、移動先システム２０（ＧＰＲＳシステム又はＣＤＭＡ２０００パケットデータシステム、等）と、ホームシステム１０を移動先システム２０に結合させてホームシステム１０と移動先システム２０との間における通信を可能にするインタフェースエンティティ３０又は“ＩＩＦ”と、を具備するシステムのブロック図である。
【００２５】
以下の各節では、ＣＤＭＡ２０００／ＧＰＲＳローミングシナリオ（例えば、モバイルＩＰｖ４を用いたＧＰＲＳフォーリンモード、シンプルＩＰｖ４又はＩＰｖ６を用いたＧＰＲＳフォーリンモード、モバイルＩＰｖ４を用いたＣＤＭＡ２０００パケットデータフォーリンモード、及びシンプルＩＰｖ４又はＩＰｖ６を用いたＣＤＭＡ２０００パケットデータフォーリンモード）に合わせて適合させることができるアーキテクチャについて説明する。
【００２６】
モバイルＩＰｖ４を用いたＧＰＲＳフォーリンモード
図２Ａは、モバイルＩＰｖ４を用いたＧＰＲＳフォーリンモードの典型的ブロック図であり、この実施形態においてＩＩＦによって提供される機能及び制御インタフェースが描かれている。このローミングシナリオは、ＣＤＭＡ２０００パケットデータネイティブ加入者がＧＰＲＳフォーリンモードにおいてモバイルＩＰｖ４［ＩＳ−８３５−Ｃ］を動作時に発生する。この実施形態においては、ホームシステム１０は、ＣＤＭＡ２０００パケットデータネイティブ加入者がＧＰＲＳシステムにローミングし更にモバイルＩＰｖ４を使用するＣＤＭＡ２０００パケットデータシステムであることができる。ホームシステム１０は、ＡＮＳＩ−４１ホームロケーションレジスタ１３１と、ＡＡＡエンティティ１１６と、ホームエージェント１３５と、を具備する。移動先システム２０は、ＳＧＳＮ１３７を具備するＧＰＲＳシステムであることができる。
【００２７】
インタフェース３０又は“ＩＩＦ”は、Ｄインタフェース１１３を介してＡＮＳＩ−４１ホームロケーションレジスタ１３１に結合されたＡＮＳＩ−４１移動先ロケーションレジスタ１１１と、Ｇｒインタフェース１２３を介してＳＧＳＮ１３７に結合されたＧＳＭホームロケーションレジスタ１２４と、Ｇｐインタフェース１２７を介してＳＧＳＮ１３７に結合され更にＧｉインタフェースを介してインターネットに結合されたＧＧＳＮ１２６と、Ｘ３インタフェース１１７を介してＡＡＡエンティティ１１６に結合されたＡＡＡエンティティ１４０と、Ｘ１インタフェース１１５を介してホームエージェント１３５に結合されたフォーリンエージェント１１８と、を具備する。ＩＩＦは、加入者による登録を可能にするためにＧＳＭ ＨＬＲ及びＡＮＳＩ−４１  ＶＬＲエミュレーションの両方を提供する。このインターワーキングは、インタフェースリファレンス“Ｇｒ”及び“Ｄ”を通じて提供することができる。ＩＩＦは、ＩＩＦを介して移動先ネットワークとホームネットワークとの間におけるベアラ接続性をサポートするためのＧＧＳＮ及びＦＡエミュレーションも提供する。このインターワーキングは、インタフェースリファレンス“Ｇｎ”及び“Ｘ１”を通じて提供することができる。ＩＩＦは、モバイルＩＰフォーリンエージェントチャレンジ認証及び３ＧＰＰ２パケットデータアカウンティングに関してホームネットワークのＡＡＡと対話するためのＡＡＡエミュレーションを提供する。このインターワーキングは、インタフェースリファレンス“Ｘ３”を通じて提供することができる。
【００２８】
ＧＲＰＳシステムとＣＤＭＡ２０００パケットデータシステムの間におけるベアラ接続性が要求されない場合は、Ｘ１インタフェースにおけるリバーストンネリングは要求されない。逆に、ＭＳ着トラフィックがＸ１インタフェース及びＧｐインタフェース内を通る。リバーストンネリングが要求されない場合は、ＩＩＦは、Ｇｐインタフェースにおいて受け取られたＭＳ発トラフィックを、直接Ｇｉインタフェースを介してインターネットにルーティングする。
【００２９】
従って、ＣＤＭＡモバイルＩＰシステムをホームとするユーザーがＧＳＭシステムにローミングする場合は、ＩＩＦは、ＧＧＳＮインタフェースをＧＳＭシステムに提示し、ＦＡとＡＡＡインタフェースをＣＤＭＡシステムに提示する。ＩＩＦは、ＧＴＰトンネル及びモバイルＩＰトンネルに関するエンドポイントとして機能することができ、ＧＧＳＮとＦＡとの間においてパケットルーティング機能を提供する。更に、ＩＩＦは、オペレータがコンフィギュレーション可能な測定値（例えば、パケットカウント、帯域幅、時刻、等）に基づいて請求することができるようにするためのアカウンティング機能も提供する。
【００３０】
図２Ｂは、ＧＰＲＳフォーリンモードにおけるモバイルＩＰｖ４の動作を示した典型的呼フロー図である。図２Ｂは、ＣＤＭＡ２０００パケットデータネイティブ加入者がＧＰＲＳフォーリンモードにおいてモバイルＩＰｖ４［ＩＳ−８３５−Ｃ］を操作するローミングシナリオに関する呼フロー例を示した図である。この例においては、ＭＳは、モバイルＩＰ認証に関してホームＣＤＭＡ２０００システムとの共有シークレットを有している。ＭＳは、ＨＡ及び／又はＩＰアドレスの割当てをホームＣＤＭＡ２０００システムに要求することができる。更に、すべてのデータトラフィック（ＭＳ発及びＭＳ着）がＩＩＦ及びホームＣＤＭＡ２０００システム内を通るようにリバーストンネリングをイネーブルにすることができる。ＩＩＦは、３ＧＰＰ２パケットデータアカウンティングレコードを生成し、ＲＡＤＩＵＳを介してホームＣＤＭＡ２０００システムに該レコードを送る。
【００３１】
ＭＳは、ＳＧＳＮとのＧＰＲＳアタッチ（ａｔｔａｃｈ）を行う。ＧＰＲＳアタッチに関連する認証は、Ｋｉシークレットキーを要求するＳＩＭをベースにした認証であることができる。ＩＩＦは、ＫｉシークレットによってコンフィギュレーションされたＧＳＭ  ＨＬＲとして動作する。いずれの場合においても、ＩＩＦは、認証に関してホームＣＤＭＡ２０００システム内のＨＬＲと通信する必要がないようにすることができる。（ステップ１）ＭＳは、ＰＤＰコンテキスト起動要求（Ａｃｔｉｖａｔｅ  ＰＤＰ  Ｃｏｎｔｅｘｔ  Ｒｅｑｕｅｓｔ）をＳＧＳＮに送る。該メッセージは、アクセスポイント名（ＡＰＮ）を含む。ＡＰＮは、フォーマット＜Ｎｅｔｗｏｒｋ  ＩＤ＞．＜ＭＮＣ＞．＜ＭＣＣ＞．ｇｐｒｓを有する。ネットワークＩＤ（例えば、ＣＤＭＡ２０００ｃａｒｒｉｅｒ．ｃｏｍ）は、ＭＳが論理的接続を確立することを希望する相手の外部ネットワークを示す。要求されたＰＤＰアドレスは、メッセージ内では省略することができる。ＭＳは、静的モバイルＩＰホームアドレスを有するか又は新たなモバイルＩＰホームアドレスを取得する。（ステップ２）ＳＧＳＮは、ＡＰＮに基づいてＧＧＳＮを選択する。ＳＧＳＮは、ＡＰＮをルックアップ名として使用してＤＮＤサーバー（図示されていない）に問いあわせ、要求されたＡＰＮをサポートするために使用できる利用可能ＧＧＳＮリストを入手する。ＡＰＮのネットワークＩＤは、ＣＤＭＡ２０００オペレータを示し、従って、ＤＮＳサーバーは、ＩＩＦのＩＰアドレスを戻す。（ステップ３）ＳＧＳＮは、ＭＳに関するＰＤＰコンテキストをセットアップするためのＰＤＰコンテキスト起動要求（Ａｃｔｉｖａｔｅ  ＰＤＰ  Ｃｏｎｔｅｘｔ  Ｒｅｑｕｅｓｔ）を選択されたＩＩＦに送る。該メッセージはＡＰＮを含むが、要求されたＰＤＰアドレスは省略することができる。（ステップ４）ＩＩＦは、ＧＧＳＮとして動作し、ＰＤＰコンテキスト生成応答（Ｃｒｅａｔｅ  ＰＤＰ  Ｃｏｎｔｅｘｔ  Ｒｅｓｐｏｎｓｅ）をＳＧＳＮに送る。それに対応して、ＳＧＳＮは、ＰＤＰコンテキスト起動受け入れ（Ａｃｔｉｖａｔｅ  ＰＤＰ  Ｃｏｎｔｅｘｔ  Ａｃｃｅｐｔ）をＭＳに送る。両メッセージ内のＰＤＰアドレスは、モバイルＩＰ登録が適切に実施された後にＰＤＰアドレスを割り当てることを示す０．０．０．０．に設定することができる。（ステップ５）ＩＩＦは、ＦＡとして動作し、ＰＤＰコンテキスト起動要求（Ａｃｔｉｖａｔｅ  ＰＤＰ  Ｃｏｎｔｅｘｔ  Ｒｅｑｕｅｓｔ）内における要求ＰＤＰアドレスの省略は、ＭＳがモバイルＩＰの使用を希望することを示すことができるため、１つ以上のモバイルＩＰエージェント広告をＭＳに送る。このエージェント広告は、確立されたＰＤＰコンテキストを通じて送ることができる。該エージェント広告は、ＦＡ気付けアドレス及びＦＡチャレンジ（ＦＡＣ）を含む。（ステップ６）
ＭＳは、ＰＤＰコンテキストを通じてモバイルＩＰ登録要求をＩＩＦに送る。この登録要求メッセージには次の情報を含めることができる。即ち、ＭＳのＮＡＩ［ＲＦＣ ２７９４］は、フォーマット＜ｕｓｅｒｎａｍｅ＞＠＜ｄｏｍａｉｎ＿ｎａｍｅ＞を有し、ここで、ｄｏｍａｉｎ＿ｎａｍｅは、ＭＳのホームＣＤＭＡ２０００システムを識別する。ＭＳ−ＨＡオーセンティケーターは、登録要求の内容及びＭＳとＨＡ［ＲＦＣ ２００２］との間で共有されるシークレットに基づいて計算することができる。ＭＳ−ＡＡＡオーセンティケーターは、ＦＡＣ及びＭＳとＡＡＡサーバー［ＲＦＣ ３０１２］との間で共有されるシークレットに基づいて計算することができる。ＨＡアドレスフィールドは、ＭＳが永久的ＨＡを使用する場合は既知の値に設定することができ、ＭＳがＨＡによって割り当てられた新たなアドレスを希望する場合は０．０．０．０に設定することができる。Ｔビットは、ＩＩＦからＭＳのＨＡへのリバーストンネルをイネーブルにするために１に設定することができる。（ステップ７）ＩＩＦは、ＲＡＤＩＵＳクライアントとして動作し、ＲＡＤＩＵＳアクセス−要求をホームＡＡＡサーバーに送る。ＲＡＤＩＵＳアクセス−要求は、ＭＳのＮＡＩ、ＦＡＣオーセンティケーター、ＦＡＣ、ＨＡアドレス、等を伝達する［ＩＳ−８３５］。（ステップ８）認証に合格した場合は、ホームＡＡＡサーバーは、ＭＳのＨＡアドレスを含むＲＡＤＩＵＳアクセス−受け入れで応答する。（ステップ９）ＩＩＦは、ＦＡとして動作し、ＲＡＤＩＵＳアクセス−受け入れに含まれているＨＡアドレスにモバイルＩＰ登録要求を転送する。（ステップ１０）ＨＡは、モバイルＩＰ登録要求内のＭＳ−ＨＡオーセンティケーターを検証する。ＨＡが、動的に割り当てられるＨＡの場合と同じように、共有シークレットを有していない場合は、ＨＡは、該共有シークレットに関してホームＡＡＡサーバーと通信する。ＨＡは、登録結果（例えば、登録合格又はエラーコード）を含むモバイルＩＰ登録返答でモバイルＩＰ登録要求に応答する。ＭＳが新たなホストアドレスを希望する場合は、モバイルＩＰ登録返答に入れて新たなアドレスを戻すことができる。ＭＳが新たなホストアドレスを希望しない場合は、ＭＳの永久アドレスを戻すことができる。（ステップ１１）ＩＩＦは、ＦＡとして動作し、適切なＰＤＰコンテキストを通じてモバイルＩＰ登録返答をＭＳに転送する。ＩＩＦ  ＦＡ機能は、割り当てられたＭＳ  ＩＰアドレスに注目し、該アドレスをＩＩＦ  ＧＧＳＮ機能と共有する。（ステップ１２）
ＩＩＦは、ＧＧＳＮとして動作し、ＰＤＰアドレスを（登録返答において示されていてＦＡ機能によって共有されている）ＭＳのホストアドレスに設定することによってＰＤＰコンテキストを更新する。ＰＤＰアドレス（従ってＭＳのホームアドレス）は、トンネルエンドポイントＩＤ（ＴＥＩＤ）によって識別されたＧＴＰトンネルと関連づけることができる。（ステップ１３）ＩＩＦは、ＧＧＳＮとして動作し、ＳＧＳＮ及びＭＳ内のＰＤＰアドレスを更新するために、ＧＧＳＮによって開始されたＰＤＰコンテキスト修正手順をトリガーする［３ＧＰＰ  ＴＳ ２９．０６１］。ＩＩＦは、ＰＤＰコンテキスト更新要求（Ｕｐｄａｔｅ  ＰＤＰ  Ｃｏｎｔｅｘｔ  Ｒｅｑｕｅｓｔ）をＳＧＳＮに送り、ＳＧＳＮは、該メッセージをＭＳに転送する。（ステップ１４）ＭＳは、ＰＤＰコンテキスト更新応答（Ｕｐｄａｔｅ  ＰＤＰ  Ｃｏｎｔｅｘｔ  Ｒｅｓｐｏｎｓｅ）でＳＧＳＮに応答し、ＳＧＳＮは、該メッセージをＩＩＦに転送する。（ステップ１５）ＩＩＦは、ＲＡＤＩＵＳクライアントとして動作し、ＲＡＤＩＵＳアカウンティング−要求（開始）をホームＡＡＡサーバーに送る［ＩＳ−８３５］。アカウンティングレコードを伝達するために３ＧＰＰ２ベンダー固有属性が使用されるが、幾つかのエアリンクレコード属性（サービスオプション、ｍｕｘオプション、等）は適用できない。（ステップ１６）ホームＡＡＡサーバーは、ＲＡＤＩＵＳアカウンティング−応答（開始）で応答する。（ステップ１７）ＩＦＦからＨＡへのリバーストンネリングがイネーブル状態である場合は、ベアラトラフィックが両方向においてＩＩＦ内を通る。ＭＳ発パケットのルーティングに関しては、ＩＩＦは、ＭＳのＧＴＰトンネル（ＴＥＩＤによって識別）から受け取られたパケットを、モバイルＩＰリバーストンネルを介してＭＳのＨＡにルーティングする。ＭＳ着パケットのルーティングに関しては、ＩＩＦは、ＨＡ−ＦＡトンネルから受け取られたパケットをＭＳのＧＴＰトンネルにルーティングする。ＨＡとＩＩＦとの間のモバイルＩＰトンネル及びＩＩＦとＳＧＳＮとの間のＧＴＰトンネルを保護するためにＩＰｓｅｃを使用することができる。（ステップ１８）
シンプルＩＰを用いたＧＰＲＳフォーリンモード
図３Ａは、シンプルＩＰを用いたＧＰＲＳフォーリンモードの典型的ブロック図であり、ＣＤＭＡ２０００パケットデータネイティブ加入者がＧＰＲＳフォーリンモードでＩＰｖ４又はＩＰｖ６を操作するローミングシナリオを示している。更に、図３Ａは、インタフェース（この場合はＩＩＦ）によって提供される機能及び制御インタフェースも示している。この実施形態においては、ホームシステム１０は、ＣＤＭＡ２０００パケットデータネイティブ加入者がＧＰＲＳシステムにローミングし更にシンプルＩＰを使用するＣＤＭＡ２０００パケットデータシステムであることができる。ホームシステム１０は、ＡＮＳＩ−４１ホームロケーションレジスタ１３１と、ＡＡＡエンティティ１１６と、ＬＮＳ１３９と、を具備する。移動先システム２０は、ＳＧＳＮ１３７を具備するＧＰＲＳシステムであることができる。
【００３２】
インタフェース３０又は“ＩＩＦ”は、Ｄインタフェース１１３を介してＡＮＳＩ−４１ホームロケーションレジスタ１３１に結合されたＡＮＳＩ−４１移動先ロケーションレジスタ１１１と、Ｇｒインタフェース１２３を介してＳＧＳＮ１３７に結合されたＧＳＭホームロケーションレジスタ１２４と、Ｇｐインタフェース１２７を介してＳＧＳＮ１３７に結合され更にＧｉインタフェースを介してインターネットに結合されたＧＧＳＮ１２６と、Ｘ３インタフェース１１７を介してＡＡＡエンティティ１１６に結合されたＡＡＡエンティティ１４０と、Ｘ２インタフェース１１９を介してＬＮＳ１３９に結合されたＬＡＣエンティティ１０９と、を具備する。ＩＩＦは、加入者による登録を可能にするためにＧＳＭ  ＨＬＲ及びＡＮＳＩ−４１  ＶＬＲエミュレーションの両方を提供する。このインターワーキングは、インタフェースリファレンス“Ｇｒ”及び“Ｄ”を通じて提供することができる。ＩＩＦは、ＩＩＦを介しての移動先ネットワークとホストネットワークとの間のベアラ接続性をサポートするためにＧＧＳＮ及びＬＡＣエミュレーションを提供する。このインターワーキングは、インタフェースリファレンス“Ｇｎ”及び“Ｘ２”を通じて提供することができる。ＩＩＦは、Ｌ２ＴＰ認証及び３ＧＰＰ２パケットデータアカウンティングに関してホームネットワークのＡＡＡと対話するためのＡＡＡエミュレーションを提供する。このインターワーキングは、インタフェースリファレンス“Ｘ３”を通じて提供することができる。
【００３３】
ＣＤＭＡ２０００パケットデータシステムとＧＲＰＳシステムとの間のベアラ接続性が要求されない場合は、Ｘ２インタフェースは要求されない。ＩＩＦは、ＳＧＳＮへのＧｐインタフェースを依然としてサポートし、Ｇｉインタフェース（図示されていない）を介したインターネットへのアクセスを提供する。
【００３４】
従って、ＣＤＭＡシンプルＩＰシステムをホームとするユーザーがＧＳＭシステムにローミングする場合は、ＩＩＦは、ＧＧＳＮインタフェースをＧＳＭシステムに提示し、通常のルーティングインタフェースをＣＤＭＡシステムに提示する。ＩＩＦは、ＧＴＰトンネル及びモバイルＩＰＳｅｃトンネルに関するエンドポイントとして機能することができ、ＧＧＳＮとＣＤＭＡシステムとの間においてパケットルーティング機能を提供する。ＩＩＦは、オペレータがコンフィギュレーション可能な測定値（例えば、パケットカウント、帯域幅、時刻、等）に基づいて請求することができるようにするためのアカウンティング機能も提供する。
【００３５】
図３Ｂは、ＧＰＲＳフォーリンモードにおけるシンプルＩＰの動作を示した典型的な呼フロー図であり、ＣＤＭＡ２０００パケットデータネイティブ加入者がＧＰＲＳフォーリンモードにおいてシンプルＩＰを操作するローミングシナリオについて説明した図である。この例においては、ＭＳは、シンプルＩＰ認証（即ち、ＣＨＡＰ）に関してホームＣＤＭＡ２０００システムとの共有シークレットを有する。ＭＳは、Ｌ２ＴＰを介して、ホームＣＤＭＡ２０００システムへのＰＰＰセッションを確立させる。該ＰＰＰセッションの確立中に、ホームＣＤＭＡ２０００システムは、ＭＳに対してＩＰアドレスを動的に割り当てる。ＭＳのすべてのデータトラフィック（ＭＳ発及びＭＳ着）がＩＩＦ及びホームＣＤＭＡ２０００システム内を通る。ＩＩＦは、３ＧＰＰ２パケットデータアカウンティングレコードを生成し、ＲＡＤＩＵＳを通じてホームＣＤＭＡ２０００システムに送る。
【００３６】
ＭＳは、ＳＧＳＮとのＧＰＲＳアタッチを実施する。該ＧＰＲＳアタッチに関連する認証は、Ｋｉシークレットを要求するＳＩＭに基づく認証であることができる。ＩＩＦは、ＫｉシークレットによってコンフィギュレーションされたＧＳＭ  ＨＬＲ又はＧＳＭ  ＶＬＲとして動作する。いずれの場合も、ＩＩＦは、認証に関してホームＣＤＭＡ２０００システム内のＨＬＲと通信することを要求されないようにすることができる。（ステップ１）ＭＳは、ＰＤＰコンテキスト起動要求（Ａｃｔｉｖａｔｅ  ＰＤＰ  Ｃｏｎｔｅｘｔ  Ｒｅｑｕｅｓｔ）をＳＧＳＮに送る。該メッセージは、ＡＰＮ（アクセスポイント名）を含む。ＡＰＮは、フォーマット＜Ｎｅｔｗｏｒｋ  ＩＤ＞．＜ＭＮＣ＞．＜ＭＣＣ＞．ｇｐｒｓを有する。ネットワークＩＤ（例えば、ＣＤＭＡ２０００ｃａｒｒｉｅｒ．ｃｏｍ）は、ＭＳがいずれの外部ネットワークとの論理的接続の確立を希望するかを示している。要求されたＰＰＰアドレスは、（ＧＧＳＮとして動作する）ＩＩＦがのちにＭＳに対してＩＰアドレスを割り当てないようにするために該メッセージ内では省略することができ、該アドレスは、ＬＮＳによって割り当てられる。（ステップ２）ＳＧＳＮは、ＡＰＮに基づいてＧＧＳＮを選択する。ＳＧＳＮは、ＤＮＳサーバー（図示されていない）に問いあわせ、要求されたＡＰＮをサポートするために使用できる利用可能ＧＧＳＮリストを入手する。この場合、ＡＰＮのネットワークＩＤは、ＣＤＭＡ２０００オペレータを示し、従って、ＤＮＳサーバーは、ＩＩＦのＩＰアドレスを戻す。（ステップ３）
ＳＧＳＮは、ＭＳに関するＰＤＰコンテキストをセットアップするためにＰＤＰコンテキスト起動要求（Ａｃｔｉｖａｔｅ  ＰＤＰ  Ｃｏｎｔｅｘｔ  Ｒｅｑｕｅｓｔ）を選択されたＩＩＦに送る。該メッセージはＡＰＮを含むが、要求されたＰＤＰアドレスは省略することができる。（ステップ４）ＩＩＦは、ＧＧＳＮとして動作し、ＰＤＰコンテキスト生成応答（Ｃｒｅａｔｅ  ＰＤＰ  Ｃｏｎｔｅｘｔ  Ｒｅｓｐｏｎｓｅ）をＳＧＳＮに送る。それに対応して、ＳＧＳＮは、ＰＤＰコンテキスト起動受け入れ（Ａｃｔｉｖａｔｅ  ＰＤＰ  Ｃｏｎｔｅｘｔ  Ａｃｃｅｐｔ）をＭＳに送る。両メッセージ内のＰＤＰアドレスは、ＰＤＰアドレスがのちにリセットされるようにすることを示す０．０．０．０．に設定することができる。（ステップ５）
ＰＤＰコンテキストを確立できるようになった後に、ＭＳ及びＩＩＦは、ＰＰＰ  ＬＣＰネゴシエーションを実施する。ＩＩＦ  ＬＡＣ機能は、ＬＮＳとのＬ２ＴＰトンネルを構築する。ＩＩＦは、要求されたＡＰＮに基づいていずれのＬＮＳであるかを決定する。ＩＩＦは、ＡＰＮに対応するＬＮＳ情報（例えば、ＬＮＳのＩＰアドレス）によってコンフィギュレーションされる。Ｌ２ＴＰトンネルを構築後は、ＩＩＦ  ＬＡＣ機能は、ＬＮＳとＭＳとの間でＬＣＰ情報を転送する。ＬＣＰネゴシエーション中には、ＬＮＳ及びＭＳは、ＰＰＰ認証用プロトコルとしてＰＰＰ又はＣＨＡＰに関するネゴシエーションを行う。（ステップ６）ＰＰＰ認証（ＰＡＰ又はＣＨＡＰ）が実施される。ＭＳの信用は、ＣＤＭＡ２０００システム内のホームＡＡＡによって認証される。ＬＮＳとホームＡＡＡとの間におけるＲＡＤＩＵＳ対話は図示されていない。（ステップ７）ＬＮＳ及びＭＳは、ＰＰＰ  ＩＰＣＰネゴシエーションを実施する。ＩＩＦ  ＬＡＣ機能は、Ｌ２ＴＰトンネルとＰＤＰコンテキストとの間でＩＰＣＰメッセージを中継する。ネゴシエーション中に、ＬＮＳがＩＰアドレスをＭＳに割り当てる。ＩＩＦは、このアドレスの有無をモニタリングし、該アドレスをＭＳのＰＤＰアドレスとして使用する。（ステップ８）
更に、ＩＩＦは、更新されたＰＤＰアドレスをＳＧＳＮ及びＭＳに通知する必要がある。ＰＤＰアドレスは、最初は０．０．０．０に設定できることを思い出すこと。従って、ＩＩＦは、ＰＤＰコンテキスト更新要求（Ｕｐｄａｔｅ  ＰＤＰ  Ｃｏｎｔｅｘｔ  Ｒｅｑｕｅｓｔ）をＳＧＳＮに送り、ＳＧＳＮは、該メッセージをＭＳに転送する。（ステップ９）  ＭＳは、ＰＤＰコンテキスト更新応答（Ｕｐｄａｔｅ  ＰＤＰ  Ｃｏｎｔｅｘｔ  Ｒｅｓｐｏｎｓｅ）でＳＧＳＮに応答し、ＳＧＳＮは、該メッセージをＩＩＦに転送する。（ステップ１０）
ＩＩＦは、ＲＡＤＩＵＳクライアントとして動作し、ＲＡＤＩＵＳアカウンティング−要求（開始）をホームＡＡＡサーバーに送る［ＩＳ−８３５］。アカウンティングレコードを伝送するために３ＧＰＰ２ベンダー固有属性が使用されるが、幾つかのエアリンクレコード属性（サービスオプション、ｍｕｘオプション、等）は適用できない。（ステップ１１）ホームＡＡＡサーバーは、ＲＡＤＩＵＳアカウンティング−応答（開始）で応答する。（ステップ１２）ベアラトラフィックは、両方向においてＩＩＦ内を通る。ＭＳ発パケットのルーティングに関しては、ＩＩＦは、ＭＳのＧＴＰトンネル（ＴＥＩＤによって識別）から受け取られたパケットを、ＭＳのＬ２ＴＰトンネル／セッションにルーティングする。ＭＳ着パケットのルーティングに関しては、ＩＩＦは、ＭＳのＬＳＴＰトンネル／セッションから受け取られたパケットをＭＳのＧＴＰトンネルにルーティングする。ＬＮＳとＩＩＦとの間のＬ２ＴＰトンネル／セッション及びＩＩＦとＳＧＳＮとの間のＧＴＰトンネルを保護するためにＩＰｓｅｃを使用することができる。（ステップ１３）
モバイルＩＰｖ４を用いたＣＤＭＡ２０００パケットデータフォーリンモード
図４Ａは、モバイルＩＰｖ４を用いたＣＤＭＡ２０００パケットデータフォーリンモードの典型的ブロック図である。本節では、ＧＰＲＳネイティブ加入者がＣＤＭＡ２０００パケットデータフォーリンモードでモバイルＩＰｖ４［ＩＳ−８３５−Ｃ］を操作するローミングシナリオについて説明する。更に、図４Ａでは、この場合はＩＩＦによって提供される機能及び制御インタフェースも描かれている。この実施形態においては、ホームシステム１０は、ＣＰＲＳシステムであることができる。ＧＰＲＳネイティブ加入者は、ＣＤＭＡ２０００パケットデータシステムにローミングし更にシンプルＩＰを使用する。ホームシステム１０は、ＧＳＭホームロケーションレジスタ１２４と、ＧＧＳＮ１２６と、ＡＡＡエンティティ１２８と、を具備する。移動先システム２０は、ＡＮＳＩ−４１移動先ロケーションレジスタ１１１と、ＡＡＡエンティティ１１６と、パケットデータ提供ノード／フォーリンエージェント１１８と、を具備するＣＤＭＡ２０００パケットデータシステムであることができる。
【００３７】
インタフェース３０又は“ＩＩＦ”は、Ｄインタフェース１１３を介してＡＮＳＩ−４１移動先ロケーションレジスタ１１１に結合されたＡＮＳＩ−４１ホームロケーションレジスタ１３１と、Ｄインタフェース１２１を介してＧＳＭホームロケーションレジスタ１２４に結合されたＧＳＭ移動先ロケーションレジスタ１３３と、Ｇｐインタフェース１２７を介してＧＧＳＮ１２６に結合されたＳＧＳＮ１３７と、Ｘ４インタフェース１２９を介してＡＡＡエンティティ１２８に結合され更にＸ３インタフェース１１７を介してＡＡＡエンティティ１１６に結合されたＡＡＡエンティティ１４０と、Ｘ１インタフェース１１５を介してパケットデータ提供ノード／フォーリンエージェント１１８に結合されたホームエージェント１３５と、を具備する。ＩＩＦは、加入者による登録を可能にするためにＧＳＭ  ＶＬＲ及びＡＮＳＩ−４１  ＨＬＲエミュレーションの両方を提供する。このインターワーキングは、インタフェースリファレンス“Ｄ”を通じて提供することができる。ＩＩＦは、ＩＩＦを介しての移動先ネットワークとホームネットワークとの間のベアラ接続性をサポートするためにＨＡ及びＳＧＳＮエミュレーションを提供する。このインターワーキングは、インタフェースリファレンス“Ｘ１”及び“Ｇｎ”を通じて提供することができる。ＩＩＦは、モバイルＩＰ認証及び３ＧＰＰ２パケットデータアカウンティングに関して移動先ネットワークのＡＡＡと対話するためのＡＡＡエミュレーションを提供する。更に、ＩＩＦは、３ＧＰＰパケットデータアカウンティングに関してホームネットワークのＡＡＡと対話することもできる。このインターワーキングは、インタフェースリファレンス“Ｘ３”及び“Ｘ４”を通じて提供することができる。以下では、モバイルＩＰを用いたＣＤＭＡ２０００パケットデータフォーリンモードに関するＩＩＦ／ＡＡＡ要求事項についてさらに詳細に説明される。
【００３８】
移動先ＣＤＭＡ２０００パケットデータシステムとホームＧＲＰＳシステムとの間におけるベアラ接続性が要求されない場合は、Ｇｐインタフェースは要求されない。この場合は、モバイル発データトラフィックは、移動先システム内のＰＤＳＮ／ＦＡを介して、又はＩＩＦ／ＨＡを介して（リバーストンネリングがイネーブル状態である場合）、直接インターネットにルーティングすることができる。モバイル着データトラフィックは、ＩＩＦ／ＨＡを介してＰＤＳＮ／ＦＡにルーティングすることができる。インタフェースＸ３及びＸ４は、ＩＩＦがＣＤＭＡ２０００  ＡＡＡサーバーとＧＰＲＳ  ＡＡＡサーバーとの間においてＡＡＡメッセージをインターワーキングするために要求される。
【００３９】
従って、ＧＳＭシステムをホームとするユーザーがＣＤＭＡモバイルＩＰシステムにローミングする場合は、ＩＩＦは、ＨＡインタフェースをＣＤＭＡシステムに提示し、ＳＧＳＮインタフェースをＧＳＭシステムに提示する。この場合は、ＡＰＮの決定を含む部分組のＳＧＳＮ機能が要求される。ＩＩＦは、モバイルＩＰトンネル及びＧＴＰトンネルに関するエンドポイントとして機能することができ、ＨＡとＳＧＳＮ機能との間においてパケットルーティング機能を提供する。
【００４０】
図４Ｂは、ＣＤＭＡ２０００パケットデータフォーリンモードにおけるモバイルＩＰｖ４の動作を示した典型的な呼フロー図である。この呼フロー例は、ＧＰＲＳネイティブ加入者がＣＤＭＡ２０００パケットデータフォーリンモードにおいてモバイルＩＰｖ４［ＩＳ−８３５−Ｃ］を操作するローミングシナリオを示している。この例においては、ホームＧＰＲＳシステムは、ＨＡをサポートせず、従って、ＭＳは、モバイルＩＰ認証に関してＩＩＦとの共有シークレットを有する。ホームＧＰＲＳシステムは、ＭＳに対してＩＰアドレスを動的に割り当てる。ＭＳのすべてのデータトラフィック（ＭＳ発及びＭＳ着）は、ＩＩＦ及びホームＧＰＲＳシステム内を通る。ＩＩＦは、３ＧＰＰ２アカウンティングレコードを移動先ＣＤＭＡ２０００システムから受け取り、更に、これらの３ＧＰＰ２アカウンティングレコードを３ＧＰＰアカウンティングレコードにマッピングすること及びＲＡＤＩＵＳを介してホームＧＰＲＳシステムに転送することができる。
【００４１】
ＭＳは、ＳＯ  ３３を発信し、ＰＤＳＮ／ＦＡとのＰＰＰセッションを確立させる。（ステップ１）ＰＰＰ  ＩＰＣＰネゴシエーション中にＩＰアドレスコンフィギュレーションオプションを省略することは、ＭＳがモバイルＩＰの使用を希望していることを示すため、ＰＤＳＮ／ＦＡは、１つ以上のモバイルＩＰエージェント広告をＭＳに送る。該エージェント広告は、ＦＡ気付けアドレス及びＦＡチャレンジ（ＦＡＣ）を含む。（ステップ２）
ＭＳは、モバイルＩＰ登録要求をＰＤＳＮ／ＦＡに送る。この登録要求には次の情報を含めることができる。即ち、ＭＳのＮＡＩ［ＲＦＣ ２７９４］は、フォーマット＜ｕｓｅｒｎａｍｅ＞＠＜ｄｏｍａｉｎ＿ｎａｍｅ＞を有し、ここで、ｄｏｍａｉｎ＿ｎａｍｅは、ＭＳのホームＧＰＲＳシステムを識別する。ＭＳ−ＨＡオーセンティケーターは、登録要求の内容及びＭＳとＨＡ［ＲＦＣ２００２］の間で共有されるシークレットに基づいて計算することができる。ＭＳ−ＡＡＡオーセンティケーターは、ＦＡＣ及びＭＳとホームＡＡＡサーバー［ＲＦＣ  ３０１２］との間で共有されるシークレットに基づいて計算することができる。ＨＡアドレスフィールドは、ＭＳが永久的ＨＡを使用する場合は既知の値に設定することができ、ＭＳがホームネットワークによって割り当てられた新たなＨＡを希望する場合は０．０．０．０に設定することができる。ＨＡフィールドは、ＨＡによって割り当てられた新たなアドレスを要求するために０．０．０．０に設定することができる。Ｔビットは、ＭＳのＨＡへのリバーストンネルの確立をＰＤＳＮ／ＦＡに要求するために１に設定することができる。（ステップ３）
ＰＤＳＮ／ＦＡは、ＭＳのＮＡＩ、ＦＡＣオーセンティケーター、ＦＡＣ、ＨＡアドレス、等を伝達するＲＡＤＩＵＳアクセス−要求を生成する［ＩＳ−８３５］。ＭＳのＮＡＩのドメイン名は、ＧＰＲＳシステムを示すため、ＰＤＳＮ／ＦＡは、ＣＤＭＡ２０００システム内のＡＡＡを介してＩＩＦにＲＡＤＩＵＳアクセス−要求を送る。ＩＩＦは、［３ＧＰＰ  ＴＳ２９．０６１］に従って該メッセージを修正することができる。（ステップ４）認証に合格した場合は、ホームＡＡＡサーバーは、ＲＡＤＩＵＳアクセス−受け入れで応答する。このメッセージは、ＩＩＦ及び移動先ＡＡＡを介してＰＤＳＮに戻される。ＩＩＦは、［Ｐ．Ｓ０００１−Ａ  Ｖ３．０］に従って該メッセージを修正することができる。（ステップ５）ＰＤＳＮ／ＦＡは、モバイルＩＰ登録要求をＩＩＦ内のＨＡ機能に転送する。ＩＩＦは、モバイルＩＰ登録要求内のＭＳ−ＨＡオーセンティケーターを検証する。（ステップ６）
認証に合格した場合は、ＩＩＦ  ＳＧＳＮ機能は、ホームＧＰＲＳシステム内のＧＧＳＮとのＧＴＰトンネルを確立させ、ＧＧＳＮからＩＰアドレスを要求することができる。ＩＩＦ  ＳＧＳＮ機能は、フォーマット＜Ｎｅｔｗｏｒｋ  ＩＤ＞．ｍｎｃ＜ＭＮＣ＞．ｍｃｃ＜ＭＣＣ＞．ｇｐｒｓを有するＡＰＮを導き出す［ＴＳ  ２３．００３］。＜Ｎｅｔｗｏｒｋ  ＩＤ＞は、ＭＳのＮＡＩのレルム部分であり、ＭＳが要求されたサービスに関していずれのＧＧＳＮへのアクセスを希望するかを示す。＜ＭＮＣ＞及び＜ＭＣＣ＞は、ＭＳのＩＭＳＩから導き出される。ＭＳのＮＡＩ及びＩＭＳＩは、ステップ４においてＲＡＤＩＵＳアクセス−要求メッセージから入手することができる。ＳＧＳＮ機能は、導き出されたＡＰＮをルックアップ名として使用してＧＰＲＳ  ＤＮＳサーバー（図示されていない）に問い合わせ、要求されたサービスをサポートするために使用できる利用可能ＧＧＳＮリストを入手する。ＩＩＦ  ＳＧＳＮ機能は、ＰＤＰコンテキスト生成要求（Ｃｒｅａｔｅ  ＰＤＰ  Ｃｏｎｔｅｘｔ  Ｒｅｑｕｅｓｔ）を選択されたＧＧＳＮに送る。該メッセージ内の要求されたＰＤＰアドレスは、新たなＩＰアドレスを要求するために０．０．０．０に設定される。（ステップ７）ＧＧＳＮは、ＭＳに割り当てられた新たなＩＰアドレスを含むＰＤＰコンテキスト生成応答（Ｃｒｅａｔｅ  ＰＤＰ  Ｃｏｎｔｅｘｔ  Ｒｅｓｐｏｎｓｅ）で応答する。（ステップ８）ＩＩＦは、ＨＡとして動作し、ＰＤＳＮ／ＦＡを介してモバイルＩＰ登録返答をＭＳに送る。モバイルＩＰ登録返答内のホームアドレスフィールドは、ＧＧＳＮによって割り当てられたＩＰアドレスに設定することができる。（ステップ９）ＰＤＳＮは、３ＧＰＰ２パケットデータアカウンティング情報を含むＲＡＤＩＵＳアカウンティング−要求（開始）を送る［Ｐ．Ｓ０００１−Ａ  Ｖ３．０］。ＭＳのＮＡＩのドメイン名は、ＧＰＲＳシステムを示すため、ＲＡＤＩＵＳアカウンティング−要求（開始）は、移動先ＡＡＡ及びＩＦを介してＧＰＲＳシステム内のホームＡＡＡにルーティングされる。ＩＩＦは、［３ＧＰＰ  ＴＳ  ２９．０６１］に従って該メッセージを修正することができる。（ステップ１０）ＩＩＦは、ＲＡＤＩＵＳサーバーとして動作し、ＲＡＤＩＵＳアカウンティング−応答（開始）で返答する。（ステップ１１）
ベアラトラフィックは、両方向においてＩＩＦ内を通る。ＭＳ発パケットのルーティングに関しては、ＩＩＦは、モバイルＩＰリバーストンネルから受け取られたパケットを、ＭＳのＧＴＰトンネル（ＴＥＩＤによって識別）にルーティングする。ＭＳ着パケットのルーティングに関しては、ＩＩＦは、ＧＴＰトンネルから受け取られたパケットをＨＡ−ＦＡトンネルにルーティングする。ＰＤＳＮ／ＦＡとＩＩＦとの間のモバイルＩＰトンネル及びＩＩＦとＳＧＳＮとの間のＧＴＰトンネルを保護するためにＩＰｓｅｃを使用することができる。（ステップ１２）
モバイルＩＰを用いたＣＤＭＡ２０００パケットデータフォーリンモードに関するＩＩＦ／ＡＡＡ要求事項
以下では、移動先ＣＤＭＡ２０００パケットデータシステムから受け取られたＲＡＤＩＵＳアクセス−要求を処理する上でのＩＦＦ要求事項について説明される。
【００４２】
ＩＩＦは、すべてのＩＥＴＦ  ＲＡＤＩＵＳ属性（発呼局ＩＤ属性、着呼局ＩＤ属性、及びフレームプロトコル属性を除く）を修正せずにプロキシに保存する。以下では、これらの３つの属性の処理について説明される。受け取られたＲＡＤＩＵＳアクセス−要求内の発呼局ＩＤ属性がＩＭＳＩを含む場合は、ＩＩＦは、該ＩＭＳＩを３ＧＰＰ−ＩＭＳＩ属性［３ＧＰＰ  ＴＳ  ２９．０６１］内にコピーし、ＭＳのホームＧＰＲＳシステム向けＲＡＤＩＵＳアクセス−要求内に含める。ＩＩＦは、ＧＰＲＳシステム内のホームＡＡＡに送られたＲＡＤＩＵＳアクセス−要求内には発呼局ＩＤ属性を含めない。受け取られたＲＡＤＩＵＳアクセス−要求内の発呼局ＩＤ属性がＭＩＮ又はＩＲＭを含む場合は、ＩＩＦは、ホームＧＰＲＳシステム内において用いられるＭＳのＩＭＳＩにマッピングし、ホームＧＰＲＳシステム向けＲＡＤＩＵＳアクセス−要求の３ＧＰＰ−ＩＭＳＩ属性内に含める。ＩＩＦは、ＧＰＲＳシステム内のホームＡＡＡに送られたＲＡＤＩＵＳアクセス−要求内には発呼局ＩＤ属性を含めない。
【００４３】
ＩＩＦは、ＭＳのホームＧＰＲＳシステム向けＲＡＤＩＵＳアクセス−要求内に着呼局ＩＤ属性を含める。着呼局ＩＤ属性の値フィールドは、ＡＰＮに設定される（第８．３．４項参照）。受け取られたＲＡＤＩＵＳアクセス−要求内にフレームプロトコル属性が含まれている場合は、ＩＩＦは、値をオーバライドして７にする［３ＧＰＰ  ＴＳ  ２９．０６１］。ＩＩＦは、受け取られたＲＡＤＩＵＳアクセス−要求からすべての３ＧＰＰ２  ＶＳＡを取り除く。ＩＩＦは、ＭＳのホームＧＰＲＳシステム向けの伝送されたＲＡＤＩＵＳアクセス−要求内に３ＧＰＰ  ＶＳＡ（３ＧＰＰ−ＩＭＳＩ属性を除く）を含めることを要求されない。
【００４４】
次に、ＭＳのホームＧＰＲＳシステムから受け取られたＲＡＤＩＵＳアクセス−受け入れを処理する上でのＩＩＦ要求事項について説明される。
【００４５】
ＩＦＦは、すべてのＩＥＴＦ  ＲＡＤＩＵＳ属性を修正なしでプロキシに保存する。ＩＩＦは、ＲＡＤＩＵＳアクセス−受け入れを移動先ＣＤＭＡ２０００パケットデータシステムに伝送する前に、受け取られたＲＡＤＩＵＳアクセス−受け入れからすべての３ＧＰＰ ＶＳＡを取り除く。
【００４６】
ホームＧＰＲＳシステムの方針が、ローミング中のＭＳのデータトラフィックに対して、ＩＩＦを介してホームＧＰＲＳシステム内を通るように要求する場合で、移動先ＣＤＭＡ２０００パケットデータシステムから以前に受け取られた対応するＲＡＤＩＵＳアクセス−要求内にＨＡアドレス  ＶＳＡが含まれていた場合は、ＩＩＦは、移動先ＣＤＭＡ２０００パケットデータシステム向けの伝送されたＲＡＤＩＵＳアクセス−受け入れ内にリバーストンネル指定ＶＳＡを含める。ＶＳＡの値フィールドは、リバーストンネリングが要求されることを示す１に設定される。
【００４７】
ＲＡＤＩＵＳアカウンティング−要求ＳＴＡＲＴ及びアカウンティング−要求ＩＮＴＥＲＩＭを処理する上でのＩＩＦ要求事項は、ＲＡＤＩＵＳアクセス−要求を処理する上での要求事項と同じである。
【００４８】
ＲＡＤＩＵＳアカウンティング−要求ＳＴＯＰを処理する上でのＩＩＦ要求事項は、ＲＡＤＩＵＳアクセス−要求を処理する上での要求事項と同じであるが、次の要求事項が追加される。即ち、受け取られたＲＡＤＩＵＳアカウンティング−要求ＳＴＯＰ内においてセッション−継続ＶＳＡがＦＡＬＳＥに設定されている場合で、（モバイルＩＰとのＰＤＳＮ間ハンドオフの場合に関して）ＩＩＦが同じＩＰアドレスを有する別のＰＤＳＮからアカウンティング−要求（開始）を予め受け取っていない場合は、ＩＩＦは、ＰＤＰセッションが既に終了していることを示すために３ＧＰＰセッション停止指標  ＶＳＡを挿入する。
【００４９】
シンプルＩＰを用いたＣＤＭＡ２０００パケットデータフォーリンモード
図５Ａは、シンプルＩＰを用いたＣＤＭＡ２０００パケットデータフォーリンモードの典型的ブロック図である。本節では、ＧＰＲＳネイティブ加入者がＣＤＭＡ２０００パケットデータフォーリンモードでＩＰｖ４又はＩＰｖ６を操作するローミングシナリオについて説明する。更に、図５Ａでは、インタフェース３０（この場合は“ＩＩＦ”）によって提供される機能及び制御インタフェースも描かれている。この実施形態においては、ホームシステム１０は、ＧＰＲＳネイティブ加入者がＣＤＭＡ２０００パケットデータシステムにローミングし更にモバイルＩＰｖ４を使用するＧＰＲＳシステムであることができる。ホームシステム１０は、ＧＳＭホームロケーションレジスタ１２４と、ＧＧＳＮ１２６と、ＡＡＡエンティティ１２８と、を具備する。移動先システム２０は、ＡＮＳＩ−４１移動先ロケーションレジスタ１１１と、ＡＡＡエンティティ１１６と、ホームシステム１０９と、を具備するＣＤＭＡ２０００パケットデータシステムであることができる。
【００５０】
インタフェース３０又は“ＩＩＦ”は、Ｄインタフェース１１３を介してＡＮＳＩ−４１移動先ロケーションレジスタ１１１に結合されたＡＮＳＩ−４１ホームロケーションレジスタ１３１と、Ｄインタフェース１２１を介してＧＳＭホームロケーションレジスタ１２４に結合されたＧＳＭ移動先ロケーションレジスタ１３３と、Ｇｐインタフェース１２７を介してＧＧＳＮ１２６に結合されたＳＧＳＮ１３７と、Ｘ４インタフェース１２９を介してＡＡＡエンティティ１２８に結合され更にＸ３インタフェース１１７を介してＡＡＡエンティティ１１６に結合されたＡＡＡエンティティ１４０と、Ｘ２インタフェース１１９を介してパケットデータ提供ノード／ＬＡＣエンティティ１０９に結合されたＬＣＳエンティティ１３９と、を具備する。ＩＩＦは、加入者による登録を可能にするためにＧＳＭ  ＶＬＲ及びＡＮＳＩ−４１  ＨＬＲエミュレーションの両方を提供する。このインターワーキングは、インタフェースリファレンス“Ｄ”を通じて提供することができる。ＩＩＦは、ＩＩＦを介した移動先ネットワークとホームネットワーク間のベアラ接続性をサポートするためにＬＮＳ及びＳＧＳＮエミュレーションを提供する。このインターワーキングは、インタフェースリファレンス“Ｘ２”及び“Ｇｎ”を通じて提供することができる。ＩＩＦは、Ｌ２ＴＰ認証及び３ＧＰＰ２パケットデータアカウンティングに関して移動先ネットワークのＡＡＡと対話するためのＡＡＡエミュレーションを提供する。更に、ＩＩＦは、３ＧＰＰパケットデータアカウンティングに関してホームネットワークのＡＡＡと対話することもできる。このインターワーキングは、インタフェースリファレンス“Ｘ３”及び“Ｘ４”を通じて提供することができる。以下では、シンプルＩＰを用いたＣＤＭＡ２０００パケットデータフォーリンモードに関するＩＩＦ／ＡＡＡ要求事項についてさらに詳細に説明される。
【００５１】
移動先ＣＤＭＡ２０００パケットデータシステムとホームＧＲＰＳシステムとの間におけるベアラ接続性が要求されない場合は、Ｘ２及びＧｐインタフェースは要求されない。この場合は、モバイル発及びモバイル着の両方のデータトラフィックが、移動先システム内のＰＤＳＮを介してインターネットに／インターネットからルーティングされる。インタフェースＸ３及びＸ４は、ＩＩＦがＣＤＭＡ２０００  ＡＡＡサーバーとＧＰＲＳ  ＡＡＡサーバーとの間でＡＡＡメッセージをインターワーキングするために必要である。
【００５２】
従って、ＧＳＭシステムをホームとするユーザーがＣＤＭＡシンプルＩＰシステムにローミングする場合は、ＩＩＦは、Ｌ２ＴＰネットワークサーバー（ＬＮＳ）インタフェースをＣＤＭＡシステムに提示し、ＳＧＳＮインタフェースをＧＳＭシステムに提示する。この場合は、ＡＰＮの決定を含む部分組のＳＧＳＮ機能が要求される。ＩＩＦは、モバイルＬ２ＴＰトンネル及びＧＴＰトンネルに関するエンドポイントとして機能することができ、ＬＮＳとＳＧＳＮ機能との間においてパケットルーティング機能を提供する。
【００５３】
図５Ｂは、ＣＤＭＡ２０００パケットデータフォーリンモードにおけるシンプルＩＰの動作を示した典型的な呼フロー図である。この呼フロー例は、ＧＰＲＳネイティブ加入者がＣＤＭＡ２０００パケットデータフォーリンモードにおいてシンプルＩＰを操作するローミングシナリオを示している。この例においては、ＭＳは、ＣＨＡＰ認証に関してＧＰＲＳシステム内のホームＡＡＡとの共有シークレットを有している。ホームＧＰＲＳシステムは、ＭＳに対してＩＰアドレスを動的に割り当てる。ＭＳのすべてのデータトラフィック（ＭＳ発及びＭＳ着）は、ＩＩＦ及びホームＧＰＲＳシステム内を通る。ＩＩＦは、３ＧＰＰ２アカウンティングレコードを移動先ＣＤＭＡ２０００システムから受け取り、これらの３ＧＰＰ２アカウンティングレコードを３ＧＰＰアカウンティングレコードにマッピングし更にＲＡＤＩＵＳを介してホームＧＰＲＳシステムに転送する。
【００５４】
ＭＳは、ＳＯ  ３３を発信し、ＰＤＳＮ／ＬＡＣとのＰＰＰ  ＬＣＰネゴシエーションを開始する。ＣＨＡＰは、ＰＰＰ認証用プロトコルとしてネゴシエーションすることができる。（ステップ１）ＰＤＳＮ／ＬＡＣは、ＣＨＡＰチャレンジをＭＳに送る。（ステップ２）ＭＳは、自己のＮＡ１と、該チャレンジ及びＧＰＲＳシステム内のホームＡＡＡとの共有シークレットに基づいて計算されたチャレンジ応答と、で返答する。ＰＤＳＮ／ＬＡＣは、ＲＡＤＩＵＳアクセス−要求を送る。ＭＳのＮＡ１のドメイン名は、ＧＰＲＳシステムを示すため、ＲＡＤＩＵＳアクセス−要求は、移動先ＡＡＡ及び該メッセージをプロキシに保存するＩＩＦを通じて、ＧＰＲＳシステム内のホームＡＡＡにルーティングすることができる。ＩＩＦは、［３ＧＰＰ  ＴＳ  ２９．０６１］に従って該メッセージを修正することができる。（ステップ３）認証に合格した場合は、ホームＡＡＡは、ＲＡＤＩＵＳアクセス−受け入れで応答する。該メッセージは、ＩＩＦ及び移動先ＡＡＡを介してＰＤＳＮ／ＬＡＣに戻すことができる。ＩＩＦは、トンネル−サーバー−エンドポイント属性をＲＡＤＩＵＳアクセス−受け入れ内に挿入する。この属性は、ＬＮＳとして動作するＩＦＦとＬ２ＴＰトンネルを確立させることをＰＤＳＮ／ＬＡＣに連絡する。ＰＤＳＮ／ＬＡＣは、ＣＨＡＰ合格を送り、認証に合格したことをＭＳに連絡する。（ステップ４）
ＰＤＳＮ／ＬＡＣは、ＬＮＳとして動作するＩＩＦとのＬ２ＴＰトンネル／セッションを確立させる。該Ｌ２ＴＰトンネル／セッション確立中には、ＰＤＳＮ／ＬＡＣは、（ＭＳとＰＤＳＮ／ＬＡＣとの間で交換された）ＬＣＰ情報をＩＩＦに転送する。ＩＩＦ  ＬＮＳ機能は、ＩＰＣＰネゴシエーション前に、ＣＨＡＰチャレンジ（図示されていない）を開始させてＭＳを認証することができる。（ステップ５）ＩＩＦ  ＳＧＳＮ機能は、ホームＧＰＲＳシステム内のＧＧＳＮとのＧＴＰトンネルを確立させ、ＧＧＳＮからＩＰアドレスを要求することができる。ＩＩＦは、フォーマット＜Ｎｅｔｗｏｒｋ  ＩＤ＞．ｍｎｃ＜ＭＮＣ＞．ｍｃｃ＜ＭＣＣ＞．ｇｐｒｓを有するＡＰＮを導き出す。＜Ｎｅｔｗｏｒｋ  ＩＤ＞は、ＭＳのＮＡＩのレルム部分であり、ＭＳが要求されたサービスに関していずれのＧＧＳＮへのアクセスを希望するかを示すために使用される。＜ＭＮＣ＞及び＜ＭＣＣ＞は、ＭＳのＩＭＳＩから導き出される。ＭＳのＮＡＩ及びＩＭＳＩは、ステップ３においてＲＡＤＩＵＳアクセス−要求から入手することができる。ＩＩＦ  ＳＧＳＮ機能は、導き出されたＡＰＮをルックアップ名として使用してＧＰＲＳ  ＤＮＳサーバー（図示されていない）に問い合わせ、要求されたサービスをサポートするために使用できる利用可能ＧＧＳＮリストを入手する。ＩＩＦ  ＳＧＳＮ機能は、ＰＤＰコンテキスト生成要求（Ｃｒｅａｔｅ  ＰＤＰ  Ｃｏｎｔｅｘｔ  Ｒｅｑｕｅｓｔ）を選択されたＧＧＳＮに送る。該メッセージ内の要求されたＰＤＰアドレスは、新たなＩＰアドレスを要求するために０．０．０．０に設定される。（ステップ６）ＧＧＳＮは、ＭＳに割り当てられた新たなＩＰアドレスを含むＰＤＰコンテキスト生成応答（Ｃｒｅａｔｅ  ＰＤＰ  Ｃｏｎｔｅｘｔ  Ｒｅｓｐｏｎｓｅ）で応答する。（ステップ７）
この新しいＩＰアドレスは、ＩＩＦとＭＳとの間におけるＰＰＰ  ＩＰＣＰネゴシエーション中にＭＳに割り当てることができる。（ステップ８）ＰＤＳＮ／ＦＡは、３ＧＰＰ２パケットデータアカウンティング情報を含むＲＡＤＩＵＳアカウンティング−要求（開始）を送る［ＩＳ−８３５］。ＰＤＳＮは、３ＧＰＰ２パケットデータアカウンティング情報を含むＲＡＤＩＵＳアカウンティング−要求（開始）を送る［Ｐ．Ｓ０００１−Ａ  Ｖ３．０］。ＭＳのＮＡ１のドメイン名は、ＧＰＲＳシステムを示すため、ＲＡＤＩＵＳアカウンティング−要求（開始）は、移動先ＡＡＡ及びＩＩＦを介してＧＰＲＳシステム内のホームＡＡＡにルーティングされる。ＩＩＦは、［３ＧＰＰ  ＴＳ  ２９．０６１］に従って該メッセージを修正することができる。（ステップ９）ホームＡＡＡは、ＲＡＤＩＵＳアカウンティング−応答（開始）で返答し、ＲＡＤＩＵＳアカウンティング−応答（開始）は、ＩＩＦ及び移動先ＡＡＡを介してＰＤＳＮに戻される。（ステップ１０）
ベアラトラフィックは、両方向においてＩＩＦ内を通る。ＭＳ発パケットのルーティングに関しては、ＩＩＦは、ＭＳのＬ２ＴＰトンネル／セッションからから受け取られたパケットを、ＭＳのＧＴＰトンネル（ＴＥＩＤによって識別）にルーティングする。ＭＳ着パケットのルーティングに関しては、ＩＩＦは、ＭＳのＧＴＰトンネルから受け取られたパケットを、ＭＳのＬ２ＴＰトンネル／セッションにルーティングする。ＰＤＳＮ／ＬＡＣとＩＩＦとの間のＬ２ＴＰトンネル／セッション及びＩＩＦとＧＧＳＮとの間のＧＴＰトンネルを保護するためにＩＰｓｅｃを使用することができる。（ステップ１１）
シンプルＩＰを用いたＣＤＭＡ２０００パケットデータフォーリンモードに関するＩＩＦ／ＡＡＡ要求事項
上述されているように、ＲＡＤＩＵＳアクセス−要求を処理する上でのＩＩＦ要求事項は、モバイルＩＰを用いたＣＤＭＡ２０００パケットデータフォーリンモードに関するＲＡＤＩＵＳアクセス−要求を処理する上での要求事項と同じである。
【００５５】
ＲＡＤＩＵＳアクセス−受け入れを処理する上でのＩＩＦ要求事項は、モバイルＩＰを用いたＣＤＭＡ２０００パケットデータフォーリンモードに関するＲＡＤＩＵＳアクセス−受け入れを処理する上での要求事項とほぼ同じである。しかしながら、ホームＧＰＲＳシステムの方針が、ローミング中のＭＳのデータトラフィックに対して、ＩＩＦを介してホームＧＰＲＳシステム内を通るように要求する場合で、移動先ＣＤＭＡ２０００パケットデータシステムから以前に受け取られた対応するＲＡＤＩＵＳアクセス−要求内にＨＡアドレス  ＶＳＡが含まれていなかった場合は、ＩＩＦは、移動先ＣＤＭＡ２０００パケットデータシステム向けの伝送されたＲＡＤＩＵＳアクセス−受け入れ内に、Ｔｕｎｎｅｌ−Ｓｅｒｖｅｒ−Ｅｎｄｐｏｉｎｔ（トンネル−サーバー−エンドポイント）属性、Ｔｕｎｎｅｌ−Ｔｙｐｅ（トンネル−タイプ）属性、及びＴｕｎｎｅｌ−Ｍｅｄｉｕｍ−Ｔｙｐｅ（トンネル−媒体−タイプ）属性を挿入する。Ｔｕｎｎｅｌ−Ｓｅｒｖｅｒ−Ｅｎｄｐｏｉｎｔ属性は、ＩＩＦ／ＬＮＳパケットデータシステムを示す。Ｔｕｎｎｅｌ−Ｔｙｐｅ属性は、Ｌ２ＴＰを示す。Ｔｕｎｎｅｌ−Ｍｅｄｉｕｍ−Ｔｙｐｅ属性は、ＩＰｖ４を示す。
【００５６】
上述されているように、ＲＡＤＩＵＳアクセス−要求ＳＴＡＲＴ及びアカウンティング−要求ＩＮＴＥＲＩＭを処理する上でのＩＩＦ要求事項は、モバイルＩＰを用いたＣＤＭＡ２０００パケットデータフォーリンモードに関するＲＡＤＩＵＳアカウンティング−要求ＳＴＡＲＴ及びアカウンティング−要求ＩＮＴＥＲＩＭを処理する上での要求事項と同じである。
【００５７】
ＲＡＤＩＵＳアカウンティング−要求ＳＴＯＰを処理する上でのＩＩＦ要求事項は、モバイルＩＰを用いたＣＤＭＡ２０００パケットデータフォーリンモードに関するＲＡＤＩＵＳアカウンティング−要求ＳＴＯＰを処理する上での要求事項と実質的に同じである。しかしながら、受け取られたＲＡＤＩＵＳアカウンティング−要求ＳＴＯＰ内においてセッション−継続ＶＳＡがＦＡＬＳＥに設定されており、更に、ＩＰ−テクノロジーＶＳＡがシンプルＩＰを示している場合は、ＩＩＦは、ＰＤＰセッションが終了していることを示すための３ＧＰＰセッション停止指標ＶＳＡを挿入する。
【００５８】
当業者は、情報及び信号は様々な種類の技術及び技法のうちのいずれかを用いて表すことが可能であることを理解することになる。例えば、上記の説明全体を通じて参照されているデータ、命令、コマンド、情報、信号、ビット、記号、及びチップは、電圧、電流、電磁波、磁場、磁気粒子、光学場、光学粒子、又はそのあらゆる組合せによって表すことができる。
【００５９】
本明細書において開示されている実施形態に関係させて説明されている様々な例示的論理ブロック、モジュール、回路、及びアルゴリズム上のステップは、電子ハードウェアとして、コンピュータソフトウェアとして、又は両方の組合せとして実装することができることを当業者はさらに理解することになる。ハードウェアとソフトウェアのこの互換性を明確に例示するため、上記においては、様々な例示的構成要素、ブロック、モジュール、回路、及びステップが、各々の機能の観点で一般的に説明されている。これらの機能がハードウェアとして又はソフトウェアとして実装できるかどうかは、全体的システムに対する特定の用途上の及び設計上の制約事項に依存する。当業者は、説明されている機能を各々の特定の用途に合わせて様々な形で実装することができるが、これらの実装決定は、本発明の適用範囲からの逸脱を生じさせるものであるとは解釈すべきではない。  
本明細書において開示されている実施形態に関連して説明されている様々な例示的な論理ブロック、モジュール、及び回路は、本明細書において説明されている機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成品、又はそのあらゆる組合せ、とともに実装又は実行することができる。汎用プロセッサはマイクロプロセッサであることができるが、代替策として、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサとの組合せ、ＤＳＰコアと関連する1つ以上のマイクロプロセッサとの組合せ、又はその他のあらゆる該コンフィギュレーションとの組合せ、として実装することもできる。
【００６０】
本明細書において開示されている実施形態に関して説明されている方法又はアルゴリズムのステップは、ハードウェア内において直接具体化させること、プロセッサによって実行されるソフトウェアモジュール内において具体化させること、又はその両方の組合せにおいて具体化させることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体に常駐させることができる。１つの典型的な記憶媒体をプロセッサに結合させ、該プロセッサが該記憶媒体から情報を読み出すようにすること及び該記憶媒体に情報を書き込むようにすることができる。代替として、該記憶媒体は、プロセッサと一体化させることができる。さらに、該プロセッサ及び該記憶媒体は、ＡＳＩＣ内に常駐させることができる。該ＡＳＩＣは、ユーザー端末内に常駐することができる。代替として、該プロセッサ及び記憶媒体は、ユーザー端末内において個別構成要素として常駐することができる。
【００６１】
開示されている実施形態に関する上記の説明は、当業者が本発明を製造又は使用できるようにすることを目的とするものである。又、これらの実施形態に対する様々な修正が加えられた場合には、当業者は、該修正を容易に理解することが可能である。さらに、本明細書において定められている一般原理は、本発明の精神及び適用範囲を逸脱しない形でその他の実施形態に対しても適用することができる。以上のように、本発明は、本明細書において示されている実施形態に限定することを意図するものではなく、本明細書において開示されている原理及び斬新な特長に一致する限りにおいて最も広範な適用範囲が認められることになることを意図するものである。
【図１】
2010233229.tif 000003
【図２Ａ】
2010233229.tif 000004
【図２Ｂ】
2010233229.tif 000005
【図３Ａ】
2010233229.tif 000006
【図３Ｂ】
2010233229.tif 000007
【図４Ａ】
2010233229.tif 000008
【図４Ｂ】
2010233229.tif 000009
【図５Ａ】
2010233229.tif 000010
【図５Ｂ】
2010233229.tif 000011
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
モバイルＩＰｖ４を使用するＣＤＭＡ２０００パケットデータネイティブ加入者が、ホームＣＤＭＡ２０００パケットデータシステムからＳＧＳＮを具備する移動先ＧＰＲＳシステムにローミングする方法であって、
前記ホームシステムと前記移動先システムとの間における通信を可能にするために前記ホームシステムを前記移動先システムに結合させることを具備し、前記ホームＣＤＭＡ２０００パケットデータシステムは、ＡＮＳＩ−４１ホームロケーションレジスタと、ＡＡＡエンティティと、ホームエージェントと、を具備する、方法。
【外国語明細書】
2010233229000001.pdf